(57)【要約】【課題】メダルのサイズ（直径）が大小変化しても、常に無調整で使用できるホッパー型メダル送出装置を提供する。【解決手段】ホッパータンク（３）内のメダル（Ｃ）をそのメダル送出用回転ディスク（Ｄ）の駆動により、その回転ディスクの円周面よりも外側位置にあるメダル送出口（Ｏ）から、順次１枚づつ送り出すホッパー型メダル送出装置において、上記メダル送出口又はここが入口となるメダル送出通路（Ｐ１）の途中の開口幅（Ｚ）を、メダルと接近する方向への弾圧付勢力が与えられたメダル送出羽根車（Ｒ）によって、使用されるメダルの最小サイズよりも狭く規定し、その狭い開口幅を上記弾圧付勢力に抗して押し広げるメダルが、そのメダル送出羽根車を順方向へ回転させることにより、１枚づつのメダル送出作用とメダルカウント作用を営なむように設定した。【選択図】図８
2014086035.tif 000002
【特許請求の範囲】
【請求項１】
ホッパータンク内のメダルをそのメダル送出用回転ディスクの駆動により、その回転ディスクの円周面よりも外側位置にあるメダル送出口から、順次１枚づつ送り出すホッパー型メダル送出装置において、
上記メダル送出口又はここが入口となるメダル送出通路の途中の開口幅を、メダルと接近する方向への弾圧付勢力が与えられたメダル送出羽根車によって、使用されるメダルの最小サイズよりも狭く規定し、
その狭い開口幅を上記弾圧付勢力に抗して押し広げるメダルが、そのメダル送出羽根車を順方向へ回転させることにより、１枚づつのメダル送出作用とメダルカウント作用を営なむように設定したことを特徴とするホッパー型メダル送出装置における送出メダルの検知機構。
【請求項２】
メダル送出羽根車の上部を、各辺がメダル受け入れ用円弧凹曲面をなすほぼ正多角形のメダル送出羽根板として、メダル送出口又はここが入口となるメダル送出通路の途中へ臨ませる一方、
同じくメダル送出羽根車の下部をセンサードグとして、上記メダル送出羽根板の等分数と同じ複数だけ全体的な放射対称分布型に張り出すと共に、
上記センサードグを透過型又は反射型のフォトセンサーから成るメダル検知センサーにより、メダルの１枚づつとしてカウントするように設定したことを特徴とする請求項１記載のホッパー型メダル送出装置における送出メダルの検知機構。
【請求項３】
メダル送出羽根車におけるメダルを送出する順方向への回転は許すが、逆方向への回転は阻止する逆転防止機構を設けたことを特徴とする請求項１記載のホッパー型メダル送出装置における送出メダルの検知機構。
【請求項４】
メダル送出通路を被覆するフロントプレートの当該通路横断方向に沿って、メダル送出羽根車用スライドガイド長孔を開口延在させ、
メダルと接近する方向への弾圧付勢力が与えられたメダル送出羽根車のボスを、上記スライドガイド長孔におけるメダルと接近する一端側の開口縁部により受け止めて、
上記メダル送出通路の途中又はその通路の入口となるメダル送出口の開口幅を、使用されるメダルの最小サイズよりも狭く確保すると共に、
上記ボスとこれを受け止める上記一端側の開口縁部とから成る初期位置決め設定手段によって、使用初期に上記メダル送出羽根車のメダル送出羽根板を、そのメダル受け入れ用円弧凹曲面がメダルを円滑に受け入れて送出できる方向性の待機状態に保つことを特徴とする請求項１記載のホッパー型メダル送出装置における送出メダルの検知機構。
【請求項５】
ボスからメダル送出羽根板とセンサードグとの上下一対が連続一体に張り出すメダル送出羽根車と、そのメダル送出羽根車のボスを回転自在に支持したスライドプレートと、そのスライドプレートを常時メダルと接近する方向へ弾圧付勢するコイルバネと、上記メダル送出羽根車のセンサードグを挟むフォトインタラプタとを、１個の検知ユニットケースへ組み込み一体化すると共に、
メダル送出用回転ディスクとその駆動モーターを備えた据付け台の天板へ、上記検知ユニットケースをカセットとして着脱自在に取り付けたことを特徴とする請求項１記載のホッパー型メダル送出装置における送出メダルの検知機構。
【発明の詳細な説明】
【技術分野】
【０００１】
本発明は各種遊技（ゲーム）機や両替機などに接続されるエレベーター式（リフト式）のメダル送出装置を初め、各種自動販売機や釣り銭機、スロットマシンなどに内蔵される非エレベーター式（払い出し式）のメダル送出装置におけるホッパータンクから、回転ディスクによって送り出されるメダル（遊技媒体のメダルやトークンなどのほか、通貨のコインも含む）の検知機構に係り、殊更その使用されるメダルのサイズ（直径）が大小変化しても、これを送り出す部材の交換やその取付位置の調整などを行う必要なく、正しく検知（カウント）し得るように工夫したものである。
【背景技術】
【０００２】
この種ホッパー型メダル送出装置では、使用されるメダルのサイズ（直径）に応じて、これを送り出す必要部材とその取付位置関係が一定に決まっているため、そのメダルのサイズが大小変化した場合には、もはやそのままの状態では正規に使用することができず、その必要部材の交換や取付位置の調整などを行わなければならない。
【０００３】
このような各種サイズ毎の煩らわしい必要部材の交換作業やその取付位置の調整作業を容易化するための発明が、下記特許文献１〜５に開示されている。
【０００４】
特に、上記特許文献１〜５に開示されているような非エレベーター式（払い出し式）のメダル送出装置に比して、メダルをその送出用回転ディスクの駆動により、１枚づつ強制的に上方へ押し進め送出するエレベーター式（リフト式）のメダル送出装置では、そのメダルエレベーターの上端出口部まで押し上げられる過程のメダルが、その隣り合う同士の離れるおそれなく、常に連続する数珠繋ぎ状態（積み重なる状態）に待機することになるため、そのメダルを送り出す必要部材の取付位置調整はますます重要となり、メダルのサイズ（直径）変化に応じた高精度な微調整を求められるのである。
【０００５】
このようなエレベーター式（リフト式）のメダル送出装置を対象として、その煩らわしい調整作業を容易化するための発明も、下記特許文献６〜１０に開示されている。
【０００６】
【特許文献１】特開平１１−３３９０８６号公報
【特許文献２】特開２００２−１５０３４７号公報
【特許文献３】特開２００３−１２３１１２号公報
【特許文献４】特開２００３−１３２３８９号公報
【特許文献５】特許第４３４３１９９号公報
【特許文献６】特許第４１４３７３４号公報
【特許文献７】特許第３６５０７１０号公報
【特許文献８】特許第４２８４６７８号公報
【特許文献９】特開２００６−３５０５３７号公報
【特許文献１０】特許第４３２７２４５号公報
【発明の概要】
【発明が解決しようとする課題】
【０００７】
ところが、上記特許文献１〜１０に開示された公知発明の構成では、たとえ取付位置の調整作業を容易に正しく行えるとしても、未だ調整作業を必要とすることに変りはなく、依然不便であり、汎用性に劣る。
【課題を解決するための手段】
【０００８】
本発明はこのような課題の抜本的な解決を目的としており、その目的を達成するために請求項１ではホッパータンク内のメダルをそのメダル送出用回転ディスクの駆動により、その回転ディスクの円周面よりも外側位置にあるメダル送出口から、順次１枚づつ送り出すホッパー型メダル送出装置において、
【０００９】
上記メダル送出口又はここが入口となるメダル送出通路の途中の開口幅を、メダルと接近する方向への弾圧付勢力が与えられたメダル送出羽根車によって、使用されるメダルの最小サイズよりも狭く規定し、
【００１０】
その狭い開口幅を上記弾圧付勢力に抗して押し広げるメダルが、そのメダル送出羽根車を順方向へ回転させることにより、１枚づつのメダル送出作用とメダルカウント作用を営なむように設定したことを特徴とする。
【００１１】
又、請求項２ではメダル送出羽根車の上部を、各辺がメダル受け入れ用円弧凹曲面をなすほぼ正多角形のメダル送出羽根板として、メダル送出口又はここが入口となるメダル送出通路の途中へ臨ませる一方、
【００１２】
同じくメダル送出羽根車の下部をセンサードグとして、上記メダル送出羽根板の等分数と同じ複数だけ全体的な放射対称分布型に張り出すと共に、
【００１３】
上記センサードグを透過型又は反射型のフォトセンサーから成るメダル検知センサーにより、メダルの１枚づつとしてカウントするように設定したことを特徴とする。
【００１４】
請求項３ではメダル送出羽根車におけるメダルを送出する順方向への回転は許すが、逆方向への回転は阻止する逆転防止機構を設けたことを特徴とする。
【００１５】
請求項４ではメダル送出通路を被覆するフロントプレートの当該通路横断方向に沿って、メダル送出羽根車用スライドガイド長孔を開口延在させ、
【００１６】
メダルと接近する方向への弾圧付勢力が与えられたメダル送出羽根車のボスを、上記スライドガイド長孔におけるメダルと接近する一端側の開口縁部により受け止めて、
【００１７】
上記メダル送出通路の途中又はその通路の入口となるメダル送出口の開口幅を、使用されるメダルの最小サイズよりも狭く確保すると共に、
【００１８】
上記ボスとこれを受け止める上記一端側の開口縁部とから成る初期位置決め設定手段によって、使用初期に上記メダル送出羽根車のメダル送出羽根板を、そのメダル受け入れ用円弧凹曲面がメダルを円滑に受け入れて送出できる方向性の待機状態に保つことを特徴とする
【００１９】
更に、請求項５ではボスからメダル送出羽根板とセンサードグとの上下一対が連続一体に張り出すメダル送出羽根車と、そのメダル送出羽根車のボスを回転自在に支持したスライドプレートと、そのスライドプレートを常時メダルと接近する方向へ弾圧付勢するコイルバネと、上記メダル送出羽根車のセンサードグを挟むフォトインタラプタとを、１個の検知ユニットケースへ組み込み一体化すると共に、
【００２０】
メダル送出用回転ディスクとその駆動モーターを備えた据付け台の天板へ、上記検知ユニットケースをカセットとして着脱自在に取り付けたことを特徴とする。
【発明の効果】
【００２１】
請求項１の上記構成によれば、メダル送出口の開口幅又はそのメダル送出口が入口となるメダル送出通路における途中（一部）の開口幅を、送出メダルと接近する方向への弾圧付勢力が与えられた言わば刻み（送り）回転体として機能するメダル送出羽根車により、使用されるメダルの最小サイズ（直径）よりも常に狭く規定しているため、その使用メダルのサイズ（直径）が最小から最大まで広範囲に相違変化するも、その１枚づつの確実な送出作用と正確な検知（カウント）作用を自づと達成することができるのであり、冒頭に述べた従来技術のような使用メダルのサイズ変化に伴なう上記開口幅の調整作業を初め、メダル送出作用に必要な部材の交換作業やメダル検知（カウント）位置の精密な調整作業などを行う必要が一切無くなる。
【００２２】
その場合、請求項２の構成を採用するならば、上記メダル送出羽根車の上部をメダル送出口又はメダル送出通路に臨むメダル送出羽根板として、同じくメダル送出羽根車の下部をメダル検知センサーにより検知されるセンサードグ（メダル検知子）として、そのメダル送出羽根車を例えば高強度な合成樹脂から容易に一体成形することができ、特に上記メダル送出羽根板のほぼ正多角形をなす各辺がメダル受け入れ用の円弧凹曲面として造形されていることや、上記センサードグ（メダル検知子）がその羽根枚数と同じ複数だけ放射対称分布型に張り出し設置されていることとも相俟って、１枚づつのメダル送出作用とメダル検知（カウント）作用を言わば一挙同時に、しかもますます安定良く営なませ得るのである。
【００２３】
又、請求項３の構成を採用するならば、メダル送出用回転ディスクがその駆動モーターの過負荷などに起因して逆回転し、延いてはメダルの逆流やメダル送出羽根車の逆回転を阻止することができ、送出メダルの誤まった検知（カウント）作用も予防し得る効果がある。その場合、メダル送出羽根車はメダルとの摩擦力によって言わば刻み回転されるため、そのメダルを送出する順方向へ空廻りするおそれもない。
【００２４】
更に、請求項４の構成を採用するならば、メダル送出羽根車のボス（軸筒）とこれを受け止めるスライドガイド長孔の開口縁部とから成る初期位置決め設定手段によって、ホッパー型メダル送出装置の使用初期におけるメダル送出羽根車のメダル送出羽根板を、そのメダル受け入れ用円弧凹曲面が据付け台側のメダル送出用回転ディスクから押し進め送出されてくるメダルを、突っ張ることなく円滑に受け入れて（捕捉して）送出できる方角の待機状態に保つようになっているため、１枚づつのメダル送出作用とメダル検知（カウント）作用を正確に安定良く行わせることができるのである。
【００２５】
特に、請求項５の構成を採用するならば、送出メダル検知機構をその検知ユニットケースに組み込み一体化されたユニット体として、これを据付け台の天板へ言わばカセット式又はカートリッジ式に着脱作業することができ、その据付け台の天板から取りはずして、上記ユニット体の部品交換や保守点検などの作業を制約なく便利に行える効果もある。
【図面の簡単な説明】
【００２６】
【図１】本発明に係るメダル送出装置の第１実施形態を示す全体概略斜面図である。
【図２】ホッパータンクを取りはずした状態の図１の部分拡大正面図である。
【図３】図２の背面図である。
【図４】図２の側面図である。
【図５】図２の拡大平面図である。
【図６】天板とメダル送出通路並びに送出メダル検知機構の位置関係を示す分解斜面図である。
【図７】図５からメダル送出通路のフロントプレートを取りはずした状態の平面図である。
【図８】図７の８−８線に沿って破断した状態を示す斜面図である。
【図９】図１のメダル送出変向通路を抽出して示す斜面図である。
【図１０】図９の分解斜面図である。
【図１１】図１のメダル送出延長通路からメダル送出変向通路へＵターンするメダルの送出作用を示す正面図である。
【図１２】図６の送出メダル検知機構を抽出して示す分解斜面図である。
【図１３】その送出メダル検知機構のメダル送出羽根車を抽出して示す上方から見た斜面図である。
【図１４】図１３の下方から見た斜面図である。
【図１５】図１２の組立状態を示す拡大斜面図である。
【図１６】図１５の平面図である。
【図１７】図１６の底面図である。
【図１８】図１６の正面図である。
【図１９】図１８の背面図である。
【図２０】図１８の左側面図である。
【図２１】図１８の右側面図である。
【図２２】図１６の２２−２２線拡大断面図である。
【図２３】図１６の２３−２３線拡大断面図である。
【図２４】図２２の２４−２４線断面図である。
【図２５】メダル送出羽根車の初期セットされた待機状態を示す平面図である。
【図２６】図２５の２６−２６線拡大断面図である。
【図２７】メダル送出羽根車によるメダルの送出作用過程を示す平面図である。
【図２８】図２７の２８−２８線断面図である。
【図２９】送出メダル検知機構の変形実施形態を示す図１２に対応する分解斜面図である。
【図３０】その送出メダル検知機構のメダル送出羽根車を抽出して示す上方から見た斜面図である。
【図３１】図３０の下方から見た斜面図である。
【図３２】図２９の組立状態を示す斜面図である。
【図３３】図３２の平面図である。
【図３４】図３３の３４−３４線断面図である。
【図３５】図３３の３５−３５線拡大断面図である。
【図３６】図３５の３６−３６線拡大断面図である。
【図３７】本発明に係るメダル送出装置の第２実施形態を示す平面図である。
【図３８】図３７の側面図である。
【図３９】図３７からメダル送出通路のフロントプレートを取りはずした状態の平面図である。
【図４０】図３７の送出メダル検知機構を抽出して示す平面図である。
【図４１】図３９のメダル送出羽根車によるメダルの送出作用過程を示す平面図である。
【発明を実施するための形態】
【００２７】
以下、図面に基いて本発明の具体的構成を詳述すると、図１〜３６はその本発明の第１実施形態として、例えば約２１mmの最小サイズ（直径）から約２６．５mmの最大サイズ（直径）までのメダル（Ｃ）につき、無調整で使用し得る仕様のエレベーター式（リフト式）メダル送出装置を示しており、（１）は一定の角度（α）（例えば約４０度）だけ後上がりに傾斜している天板（２）を備えた金属製の据付け台であって、そのほぼ長方形な天板（２）の表面にはメダル貯留用の透明な合成樹脂製ホッパータンク（３）が、係脱自在に係止される一方、同じく天板（２）の裏面にはメダル送出用回転ディスク（Ｄ）の駆動モーター（４）が固定設置されている。
【００２８】
その回転ディスク用駆動モーター（４）は遊技（ゲーム）機などに具備されている主制御基板（図示省略）へ、マイコン搭載のメダル送出装置制御基板（ホッパー制御基板）（５）を介して、電気的に接続配線されている。そのホッパー制御基板（５）は上記据付け台（１）の枠内に取り付け固定されている。
【００２９】
上記駆動モーター（４）の出力軸（６）は据付け台（１）の天板（２）を貫通しており、これに表側から嵌め付け一体化されたメダル送出用回転ディスク（Ｄ）が、上記ホッパータンク（３）の対応的な円形の開口底面に臨み、そのホッパータンク（３）の言わば可動底をなす。（７）は上記据付け台（１）の天板（２）から表向きに突出する複数のホッパータンク用係止ピン、（８）は同じく据付け台（１）に対する天板（２）の取り付け固定ビスである。
【００３０】
上記メダル送出用の回転ディスク（Ｄ）は金属製品又はこれと同等の高強度な合成樹脂製品として、全体的な放射対称配置型に開口分布する複数（例えば合計４個）の円形なメダル受け入れ穴（９）と、そのメダル受け入れ穴（９）同士の隣り合う相互間から裏向き一体的に突出する同じく複数の円弧弯曲羽根（１０）とを備えており、上記ホッパータンク（３）からメダル受け入れ穴（９）へ受け入れたメダル（Ｃ）を、その円弧弯曲羽根（１０）によって図５、７、２５、２７の矢印（Ｆ）で示す方向へ押し進め、回転ディスク（Ｄ）の円周面から外側にあるメダル送出口（Ｏ）へ、１枚づつ順次送り出し作用するようになっている。
【００３１】
（１１）は上記回転ディスク（Ｄ）における円周面の斜め上側位置に臨むセパレートローラーであって、上記据付け台（１）の天板（２）を貫通するローラー支軸（１２）に、表側から遊転自在に差し込み套嵌されており、後述のサイドスペーサー（中板）と相俟ってメダル送出口（Ｏ）を画定する。
【００３２】
（１３）は上記回転ディスク（Ｄ）の円弧弯曲羽根（１０）によって押し進められてくるメダル（Ｃ）を、下流側から一旦受け止めて、上記メダル送出口（Ｏ）に向かって誘導するためのメダル変向ガイドピンであり、これも上記据付け台（１）の天板（２）を貫通して、その天板（２）の表側に隆起している。
【００３３】
（１４ａ）（１４ｂ）は上記後上がり傾斜設置状態にある天板（２）の上端部へ、図６のような上向き開放状態に加工された複数のケース受け止め切欠であり、後述のメダル検知ユニットケースを受け止めることによって、その検知ユニットケースを据付け台（１）の天板（２）へすばやく正確に取り付け固定できるようになっている。
【００３４】
（１５ａ）（１５ｂ）は一定な開口幅（Ｗ）のメダル送出通路（Ｐ１）を区成する左右一対の細長いサイドスペーサー（中板）であり、図５〜７から明白なように、その上記天板（２）と同じ広い一定幅（Ｘ１）の下部基端がその天板（２）の上端部へ、複数の固定ビス（１６）を介して表側からの部分的な積み重ね状態に取り付けられている。その両サイドスペーサー（１５ａ）（１５ｂ）の下部基端が上記セパレートローラー（１１）と相俟って、メダル送出通路（Ｐ１）の入口を形作るようになっている。
【００３５】
つまり、上記メダル送出口（Ｏ）はメダル送出通路（Ｐ１）の入口をなし、そのメダル送出通路（Ｐ１）の開口幅（Ｗ）が使用される最大メダルの直径とほぼ同じ対応寸法（図例では約２６．５mm）又はこれよりも若干広大な寸法として、予じめ設定されておれば良い。
【００３６】
（１７）（１８）は両サイドスペーサー（１５ａ）（１５ｂ）における広い一定幅（Ｘ１）の下部基端に加工された後述するセンサー取付マストの逃し入れ孔とメダル送出羽根車の逃し入れ凹欠であり、図６のように左右１組として並列している。
【００３７】
その場合、左右何れか一方（図例では左側）のサイドスペーサー（１５ａ）におけるメダル送出通路（Ｐ１）を形作る開口縁部は、メダル（Ｃ）の円周面と接する直線形態にあり、残る他方（図例では右側）のサイドスペーサー（１５ｂ）におけるメダル送出通路（Ｐ１）を形作る開口縁部は、上記メダル送出羽根車用逃し入れ凹欠（１８）として、そのメダル送出通路（Ｐ１）から遠ざかる円弧形に切り欠かれている。
【００３８】
又、（１９）は上記メダル送出通路（Ｐ１）の背後（底面）を被覆すべく、その両サイドスペーサー（１５ａ）（１５ｂ）へ複数の固定ビス（２０）によって取り付けられた細長いバックプレートであり、上記サイドスペーサー（１５ａ）（１５ｂ）が据付け台（１）の天板（２）へ取り付け固定された時、そのバックプレート（１９）の下部基端は図４のように上記天板（２）の上端部へ突き合わされて、天板（２）とのフラットな面一状態に保たれる。
【００３９】
そして、上記メダル送出通路（Ｐ１）を形作る両サイドスペーサー（１５ａ）（１５ｂ）とそのバックプレート（１９）が上記据付け台（１）の天板（２）から上方へ延長状態に張り出す比較的狭い一定幅（Ｘ２）の先端部は、図１、４のように横方向から見た場合、一定の角度（β）（例えば約１３０度）だけ滑らかな円弧状に弯曲しており、そのメダル送出通路（Ｐ１）がほぼ真上を指向する状態にある。
【００４０】
（２１）（２２）は同じくメダル送出通路（Ｐ１）の前面（正面）を被覆すべく、その両サイドスペーサー（１５ａ）（１５ｂ）の広幅な下部基端へ表側から別個な複数の固定ビス（２３）によって一緒に取り付けられた複数（図例では合計３枚）のフラットなフロントプレートであり、これらには図６から明白であるように、両サイドスペーサー（１５ａ）（１５ｂ）の上記センサー取付マスト用逃し入れ孔（１７）と連通するセンサー取付マスト用逃し入れ孔（２４）並びに上記メダル送出羽根車用逃し入れ凹欠（１８）と対応位置するメダル送出羽根車用スライドガイド長孔（２５）が、その複数間での合致連通する大きさ・輪郭形状に切り抜かれている。
【００４１】
その場合、フロントプレート（２１）（２２）のメダル送出羽根車用スライドガイド長孔（２５）は左右方向（メダル送出通路を横断する方向）に沿って延在するほぼ楕円形の輪郭形状をなすが、そのメダル送出通路（Ｐ１）へ接近する一端側（内側）の開口縁部は後述するメダル送出羽根車の初期設定用位置決めストッパー（２５ｓ）として、図５、６のような直線形態に切り欠かれている。
【００４２】
しかも、その複数の積み重ね状態にあるフロントプレート（２１）（２２）のうち、最下段位置にある１枚のフロントプレート（２１）は極めて薄肉（例えば約０．２〜０．５mmの厚み）な板バネ材から成り、これが上記メダル送出通路（Ｐ１）の内部へ臨む中央部（メダル送出通路の長手中心線上）には、メダル（Ｃ）を弾力的に押える上下一対のメダル逆流防止片（２６）（２７）が区成されている。（２８）（２９）はその区成するための割り溝である。
【００４３】
図示の残る上段位置と中段位置にある２枚のフロントプレート（２２）は、最下段の上記フロントプレート（２１）よりも厚肉（例えば約０．８〜１．０mmの厚み）な互いに同じ板バネ材から成り、これらの中央部（やはりメダル送出通路の長手中心線上）には上記メダル逆流防止片（２６）（２７）を逃し入れる凹欠（３０）（３１）の上下一対づつが付与されている。
【００４４】
（３２）は上記メダル送出通路（Ｐ１）における一定角度（β）の円弧弯曲部を表側から被覆すべく、その両サイドスペーサー（１５ａ）（１５ｂ）へ左右一対のネジ締結具（固定ビスと蝶ナット）（３３）によって取り付けられた円弧状のコーナーフロントプレートであり、これも薄肉（例えば約０．２〜０．５mmの厚み）な板バネ材から成る。
【００４５】
そのコーナーフロントプレート（３２）は図２、５、７、８から明白なように、上記両サイドスペーサー（１５ａ）（１５ｂ）における先端部（上端部）と同じ一定幅（Ｘ２）のほぼ長方形をなしているが、その上下方向から互いに等しい深さだけ切り込まれた左右一対づつの割り溝（３４）を介して、上記メダル送出通路（Ｐ１）の内部（メダル送出通路の長手中心線上）に臨む上下一対のセンター押圧片（３５）と、その左右両隣り位置に上下一対づつのサイド取付片（３６）とが並ぶ合計３列に区分されており、その両サイド取付片（３６）を中間部においてメダル送出通路（Ｐ１）の両サイドスペーサー（１５ａ）（１５ｂ）４バックプレート（１９）へ、上記ネジ締結具（３３）によって表側から強制的な弯曲状態に取り付け固定した時、センター押圧片（３５）の上下両端部がメダル逆流防止片（３７）として、メダル（Ｃ）を表側から弾力的に押え付けるようになっている。
【００４６】
又、（Ｐ２）は上記メダル送出通路（Ｐ１）の上端部へ別個な接続金具（３８）を介して、図１のような直接の突き合わせ状態に連通接続されたメダル送出延長通路であり、そのフロントプレート（３９）とバックプレート（４０）並びにその相互間へ縁取り状態に介在する左右一対のサイドスペーサー（中板）（４１ａ）（４１ｂ）とから、複数の固定ビス（４２）によって組み立てられた区画内部が、上記据付け台（１）側のメダル送出通路（Ｐ１）と同じ開口幅（Ｗ）として対応合致する。
【００４７】
その場合、上記メダル送出通路（Ｐ１）とそのメダル送出延長通路（Ｐ２）の開口幅（Ｗ）は使用される最大メダルの直径とほぼ同じ寸法（図例では約２６．５mm）以上として、その内部をこれより小サイズのメダル（Ｃ）が押し進め送出されることもある関係上、特にそのメダル（Ｃ）を真上方向へ案内する上記メダル送出延長通路（Ｐ２）の左右両サイドスペーサー（中板）（４１ａ）（４１ｂ）に対して、メダル（Ｃ）同士のジグザグ状（蛇行状）に突っ張り合う強い摩擦力が作用しやすいので、その摩擦抵抗を少なく抑制すべく、高強度な合成樹脂板から成る両サイドスペーサー（中板）（４１ａ）（４１ｂ）を採用することが好ましい。
【００４８】
（４３）はこのようなメダル（Ｃ）を真上方向へ押し進め案内し得るメダル送出延長通路（Ｐ２）の下端部（入口）付近へ、左右一対の固定ビス（図示省略）によって取り付けられたメダル逆流防止器であり、メダル送出延長通路（Ｐ２）を上記据付け台（１）側のメダル送出通路（Ｐ１）から取りはずし分離したメンテナンス作業時に、そのメダル送出延長通路（Ｐ２）からメダル（Ｃ）が抜け落ちてしまうことを予防する。
【００４９】
更に、（Ｐ３）は上記メダル送出延長通路（Ｐ２）の上端部へ別個な接続金具（４４）を介して、図１や図１１のような直接の突き合わせ状態に連通接続されたメダル送出変向通路であり、正面視のほぼ倒立Ｊ字形をなすことによって、メダル（Ｃ）をメダル送出延長通路（Ｐ２）の上端部からＵターンする如く、自然落下させるようになっている。
【００５０】
茲に、メダル送出変向通路（Ｐ３）も上記据付け台（１）側のメダル送出通路（Ｐ１）やそのメダル送出延長通路（Ｐ２）に準じて、図９〜１１のようなフロントプレート（４５）とバックプレート（４６）並びにその相互間へ縁取り状態に介在する複数のサイドスペーサー（中板）（４７ａ）（４７ｂ）とから、複数の固定ビス（４８）によって組み立てられている。
【００５１】
しかも、上記メダル送出変向通路（Ｐ３）の内部にはその最も高い位置（メダル変向点）から自然落下するメダル（Ｃ）を一旦受け止めた後、そのメダル（Ｃ）を電気的な指令に従って飛ばし出す駆動回転羽根（４９）と、その一旦受け止められたメダル（Ｃ）の有無を検知する第１メダル検知センサー（透過型又は反射型のフォトセンサー）（５０）と、上記駆動回転羽根（４９）によってメダル送出変向通路（Ｐ３）の下端部（出口）から飛ばし出されるメダル（Ｃ）の第２メダル検知センサー（同じく透過型又は反射型のフォトセンサー）（５１）とが、図１０、１１のように各々組み込み一体化されており、その全体的なユニット体をなしている。（５２）は上記回転羽根（４９）の駆動モーターである。
【００５２】
更に、（Ｕ）は上記メダル送出用回転ディスク（Ｄ）の回転によって、その円周面から外側のメダル送出口（メダル送出通路の入口）（Ｏ）へ押し進め送出されたメダル（Ｃ）を、１枚づつ検知しカウントするための送出メダル検知機構であり、図示の実施形態では１個の検知ユニットケース（５３）に組み込み一体化されたユニット体をなしている。
【００５３】
即ち、送出メダル検知機構（Ｕ）を抽出して示す図１２〜２４から明白なように、その検知ユニットケース（５３）はポリアセタール樹脂（好ましくは商品名「ジュラコン」）やポリカーボネート樹脂、ＡＢＳ樹脂、その他の高強度な合成樹脂から射出成形された上向き開放する断面Ｕ字形のほぼ直方体として、上記据付け台（１）の天板（２）とほぼ同じ一定幅（Ｘ１）だけ左右方向（横方向）へ細長く延在しており、その開口上縁部の点在分布する複数個所（図例では４個所）には、各々ネジ孔（５４）を備えた軸受ボス（５５）が設置されている。
【００５４】
（５６）は上記検知ユニットケース（５３）の底面（背後）に沿って左右方向（横方向）へスライド運動のみを行えるように支持されたほぼ長方形な金属のスライドプレートであり、その左右何れか一半側（図例では右半側）からはメダル送出羽根車用支軸（５７）がかしめ付け状態として、上向き（内向き）一体的に起立されている。（５８）はその支軸（５７）の上端部に設けられたビス受け入れ用ネジ孔である。
【００５５】
その場合、図示の実施形態では検知ユニットケース（５３）の底面（背後）を言わば部分的に切り抜いて残る複数の支持片（図示符号省略）によって、上記スライドプレート（５６）を左右方向（横方向）へスライドできるように、下方から支持しているが、そのスライドプレート（５６）と係合するスライドガイドレール（図示省略）を列設しても勿論良い。
【００５６】
（Ｒ）は上記スライドプレート（５６）から起立するメダル送出羽根車用支軸（５７）へ、上方から差し込み套嵌され、且つ固定ビス（５９）によって抜け止め状態に保たれたメダル送出羽根車であり、メダル（Ｃ）との接触により一方向（順方向／図示の時計方向）へ押し廻されて、そのメダル（Ｃ）を１枚づつ刻む如く確実に送出する作用と、その送出メダル（Ｃ）を１枚づつ正確に検知（カウント）する作用とを営なむ。
【００５７】
つまり、メダル送出羽根車（Ｒ）は図１３、１４から明白なように、ポリアセタール樹脂（好ましくは商品名「ジュラコン」）やポリカーボネート樹脂、繊維強化樹脂（ＦＲＰ）、その他の高強度な合成樹脂から射出成形された一定長さ（背丈）の軸筒（ボス）（６０）と、その中段位置から横方向へ連続一体に張り出すほぼ正多角形のメダル送出羽根板（６１）と、同じく軸筒（ボス）（６０）の下段位置からやはり横方向へ全体的な放射対称分布型として連続一体に張り出す複数のメダル検知子（センサードグ）（６２）とを備えている。
【００５８】
そして、そのメダル送出羽根車（Ｒ）のメダル送出羽根板（６１）が図７、８のように、上記据付け台（１）側のメダル送出通路（Ｐ１）へ横方向から臨み、そのメダル送出通路（Ｐ１）へ押し進められてくるメダル（Ｃ）と接触して、自づと一方向（送出方向）へ回転し乍ら、そのメダル（Ｃ）を１枚づつ刻む如く、図２５、２７の矢印（Ａ）で示す方向（上方）へ送出する一方、そのメダル送出羽根板（６１）よりも下方位置にあるメダル検知子（センサードグ）（６２）の各個が、後述の第３メダル検知センサーによって検知され、上記送出メダル（Ｃ）を１枚づつカウントするようになっている。
【００５９】
但し、メダル送出羽根車（Ｒ）のメダル送出羽根板（６１）を「ほぼ正多角形」と説明した理由は、その各辺がメダル（Ｃ）の円周面（凸曲面）と接触するメダル受け入れ用の円弧凹曲面をなしているからであり、図示実施形態のメダル送出羽根板（６１）は使用される最大メダルの円周面にフイットし得る円弧凹曲面の各辺を備えた星形（正五角形）として造形されている。
【００６０】
そのため、これより小サイズのメダル（Ｃ）も含めて、その各辺のメダル受け入れ用円弧凹曲面により各種サイズのメダル（Ｃ）を１枚づつ安定良く受け入れ保持することができ、回転駆動源を有しないメダル送出羽根車（Ｒ）のメダル送出羽根板（６１）であっても、そのメダル（Ｃ）を確実に送出作用し得るのである。
【００６１】
又、メダル送出羽根車（Ｒ）におけるメダル検知子（センサードグ）（６２）の個数は、上記メダル送出羽根板（６１）の羽根枚数（刻み等分数）と同一に設定する必要があり、そのため図示実施形態では合計５本のメダル検知子（センサードグ）（６２）を放射対称分布型に張り出し形成している。
【００６２】
上記軸筒（ボス）（６０）におけるメダル送出羽根板（６１）よりも上段位置は、送出メダル検知機構（Ｕ）を検知ユニットケース（５３）へ組み込む作業手の摘まみ用ヘッド（６３）として役立つが、そのヘッド（６３）の根元部だけは補強を兼ねた位置決め用係止フランジ（６４）として、図１２〜１６のようなメダル送出羽根板（６１）と同じ正多角形（図例では正五角形）に造形されており、その任意の１辺が上記据付け台（１）側のメダル送出通路（Ｐ１）を形作るフロントプレート（２１）（２２）におけるメダル送出羽根車用スライドガイド長孔（２５）の初期設定用位置決めストッパー（２５ｓ）へ、図２５、２６のように係止することにより、そのメダル送出羽根車（Ｒ）におけるメダル送出羽根板（６１）の任意な１辺（上記円弧凹曲面）がメダル送出装置の使用初期に、上記回転ディスク（Ｄ）からメダル（Ｃ）をそのメダル送出口（メダル送出通路の入口）（Ｏ）へ、突っ張ることなく円滑・確実に受け入れて送出できる方向性の待機状態を保てるようになっている。
【００６３】
その場合、上記メダル送出装置の使用初期における位置決め設定手段となるメダル送出羽根車（Ｒ）側の上記係止フランジ（６４）の各辺と、上記メダル送出通路（Ｐ１）のフロントプレート（２１）（２２）側に開口するメダル送出羽根車用スライドガイド長孔（２５）の位置決めストッパー（２５ｓ）とは、直線形態（フラット面）に造形されているが、その相互の係止作用によって上記メダル（Ｃ）の受け入れ（捕捉）可能な待機状態を保てるならば、その直線形態（フラット面）のみに限らず、相互の凹凸嵌合やその他の位置決め設定手段を採用しても良い。
【００６４】
更に、同じく上記軸筒（ボス）（６０）におけるメダル検知子（センサードグ）（６２）よりも下端部の円周面には、図１３、１４のような多数の凹凸条（歯列）（６５）がその長手方向（上下方向）に沿って平行に刻設されている。（６６）はその凹凸条（６５）へ差し込み係止されることにより、メダル送出羽根車（Ｒ）の逆回転を防ぐ逆止爪であって、金属の板バネ材から成り、その基端部が上記スライドプレート（５６）の一端部（右端部）から曲げ起された取付座（６７）へ、固定ビス（６８）によって取り付けられている。
【００６５】
このような凹凸条（歯列）（６５）と逆止爪（６６）とから成る所謂ラチエット機構によって、メダル送出羽根車（Ｒ）がメダル（Ｃ）を送る一方向（上方）に向かってのみ回転し、逆回転しないようにロックされているのである。
【００６６】
その結果、上記メダル送出用回転ディスク（Ｄ）がその駆動モーター（４）の過負荷などに起因して逆回転し、延いてはメダル（Ｃ）の逆流とメダル送出羽根車（Ｒ）の逆回転を阻止することができ、そのメダル（Ｃ）の誤まった検知（カウント）も予防し得るのである。
【００６７】
（６９）は上記検知ユニットケース（５３）の前面からメダル送出羽根車（Ｒ）におけるメダル検知子（センサードグ）（６２）の回転軌跡と干渉する内向きに張り出された第３メダル検知センサーであって、図１５、１６、２３から明白なように、そのメダル検知子（センサードグ）（６２）を挟む透過型フォトセンサー（フォトインタラプタ）から成り、上記前面のセンサー取付ステー（７０）へネジ締結具（固定ビスと角形の板ナット）（７１）によって取り付けられている。
【００６８】
上記送出メダル検知機構（Ｕ）の第３メダル検知センサー（６９）はメダル送出羽根車（Ｒ）のメダル検知子（センサードグ）（６２）を検知することによって、送出メダル（Ｃ）をカウントするものであり、その機能を果す限りでは、これを検知ユニットケース（５３）の前面から張り出す固定状態の上記センサー取付ステー（７０）に代えて、スライドプレート（５６）へ取り付け一体化しても良く、又反射型フォトセンサーから成る第３メダル検知センサー（６９）を採用しても良い。
【００６９】
上記スライドプレート（５６）の他半側（図例では左半側）からはバネ受け片（７２）が上向き（内向き）に切り起されている。（７３）は上記検知ユニットケース（５３）における底面（背後）の他端部（左端部）から上向き（内向き）に突出されたバネ受け片であり、そのバネ受け片（７２）（７３）同士の左右相互間には図１５、１６、２２のような引張りコイルバネ（７４）が連繋張架されており、これによって上記スライドプレート（５６）上のメダル送出羽根車（Ｒ）を常時メダル送出通路（Ｐ１）と接近する方向へ引き寄せ付勢している。
【００７０】
更に言えば、その引張りコイルバネ（７４）の引き寄せ付勢力を受けたメダル送出羽根車（Ｒ）のメダル送出羽根板（６１）は、その軸筒（ボス）（６０）の上記係止フランジ（６４）と上記メダル送出羽根車用スライドガイド長孔（２５）における位置決めストッパー（２５ｓ）との係止作用する初期位置決め設定手段によって、図２５、２６に示す如く、そのメダル送出通路（Ｐ１）における直線形態の開口縁部との向かい合う開口幅（Ｚ）を、使用される最小メダルの直径（図例では約２１mm）よりも狭く制限しており、その送出メダル（Ｃ）と必らず接触して、摩擦回転（自転）し得るようになっている。
【００７１】
つまり、メダル送出通路（Ｐ１）の開口幅（Ｗ）が使用される最大メダルの直径とほぼ同じ対応寸法（先に例示した約２６．５mm）以上である旨を既に説明したが、そのメダル送出通路（Ｐ１）における途中の開口幅（Ｚ）はメダル送出羽根車（Ｒ）のメダル送出羽根板（６１）によって、使用される最小メダルの直径（先に例示した約２１mm）よりも狭い一定の寸法（図例では約１５mm）に規制されており、そのメダル送出羽根板（６１）の回転軌跡と上記メダル送出通路（Ｐ１）における直線形態の開口縁部との向かい合う狭い開口幅（Ｚ）を、送出メダル（Ｃ）が上記引張りコイルバネ（７４）の付勢力に抗して押し広げる力がメダル送出羽根車（Ｒ）に働く摩擦力として、そのメダル送出羽根車（Ｒ）を一方向（順方向）へ言わば刻み回転させることにより、そのメダル（Ｃ）を１枚づつ確実に送出する作用と正確に検知（カウント）する作用とを営なむようになっているである。
【００７２】
但し、上記スライドプレート（５６）上のメダル送出羽根車（Ｒ）を図示実施形態のような引張りコイルバネ（７４）によって、検知ユニットケース（５３）の上記他端部（左端部）からメダル送出通路（Ｐ１）と接近する方向へ引き寄せ付勢する代りに、圧縮コイルバネ（図示省略）を採用して、同じくメダル送出羽根車（Ｒ）をその圧縮コイルバネにより、検知ユニットケース（５３）の逆な上記一端部（右端部）から常時メダル送出通路（Ｐ１）と接近する方向へ押圧付勢するように設定しても良い。
【００７３】
（７５）は上記検知ユニットケース（５３）の左右何れか他半側（図例では左半側）から上向き（内向き）一体的に起立されたセンサー取付マストであり、ここにやはりネジ締結具（固定ビスと板ナット）（７６）を介して取り付けられた第４メダル検知センサー（７７）が、上記据付け台（１）側のメダル送出通路（Ｐ１）を進行する送出メダル（Ｃ）を検知（カウント）することもできるようになっている。
【００７４】
その場合、送出メダル（Ｃ）は上記引張りコイルバネ（７４）の弾圧付勢力を受けているメダル送出羽根車（Ｒ）のメダル送出羽根板（６１）によって、上記メダル送出通路（Ｐ１）の直線形態をなす開口縁部へ、必らず接触する状態に押し付けられているため、その送出メダル（Ｃ）同士の前後相互間隙（メダル送出通路の開口縁部と、隣り合うメダルの円周面同士によって区画されるデルタ空間）を透過するフォトセンサーから成る第４メダル検知センサー（７７）によって、その送出メダル（Ｃ）を確実に検知（カウント）することができるのであり、その結果例えば上記第３送出メダル検知センサー（６９）と第４メダル検知センサー（７７）との両者からメダル検知信号が出力された時に、初めて送出メダル（Ｃ）の１個としてカウントすることも考えられ、不正行為の防止に役立つ。
【００７５】
第３、４送出メダル検知センサー（６９）（７７）を互いに同じフォトインタラプタとし、そのセンサー取付ステー（７０）とセンサー取付マスト（７５）も互いに同じ形態として、両メダル検知センサー（６９）（７７）を互換的に取り付け使用することができる（この点、図例では両メダル検知センサーが互いに上下逆向きとして取り付けられている）が、上記センサー取付マスト（７５）に取り付けられる第４送出メダル検知センサー（７７）は第３送出メダル検知センサー（６９）の言わば補助として、その設置を省略してもさしつかえない。その場合、上記検知ユニットケース（５３）のセンサー取付マスト（７５）と上記フロントプレート（２１）（２２）のセンサー取付マスト用に逃し入れ孔（２４）を設ける必要がないことは、言うまでもない。
【００７６】
上記構成部材からユニット化された送出メダル検知機構（Ｕ）の検知ユニットケース（５３）は、図５〜８のように据付け台（１）の天板（２）へ斜め後上方から、その検知ユニットケース（５３）におけるメダル送出羽根車（Ｒ）の軸筒（ボス）（６０）と第４メダル検知センサー（７７）の取付マスト（７５）とが、天板（２）の対応位置する両ケース受け止め切欠（１４ａ）（１４ｂ）へ落し入れる如く、抜き差し自在に差し込み係止される。
【００７７】
その送出メダル検知機構（Ｕ）の検知ユニットケース（５３）は上記据付け台（１）の天板（２）に対する所謂カセット又はカートリッジとして、その据付け台（１）の天板（２）から斜め後上方へ抜き出すことにより、メダル送出装置の外部空間において、送出メダル検知機構（Ｕ）の保守・点検作業やその構成部材の交換などを便利良く行うこともできるようになっているのである。
【００７８】
そして、サイドスペーサー（１５ａ）（１５ｂ）やフロントプレート（２１）（２２）、バックプレート（１９）、コーナーフロントプレート（３２）の取り付け固定により予じめ組み立てられたメダル送出通路（Ｐ１）が、その後上記天板（２）の表側から据付け台（１）へ、複数の固定ビス（１６）（２３）によって取り付けられるのであり、そうすれば送出メダル検知機構（Ｕ）におけるメダル送出羽根車（Ｒ）のヘッド（６３）とセンサー取付マスト（７５）が、メダル送出通路（Ｐ１）のフロントプレート（２１）（２２）に切り欠かれているメダル送出羽根車用スライドガイド長孔（２５）とセンサー取付マスト用逃し入れ孔（２４）を各々貫通して、表側へ起立することになる結果、その検知ユニットケース（５３）が据付け台（１）の天板（２）から抜け出すおそれはなく、天板（２）の裏面（背後）に付属する状態として、その表側から天板（２）を貫通して、上記検知ユニットケース（５３）の軸受ボス（５５）へねじ込まれる複数（図例では合計４本）の固定ビス（７８）によって取り付けられている。
【００７９】
上記エレベーター式（リフト式）のメダル送出装置ではメダル送出変向通路（Ｐ３）内へ臨む駆動回転羽根（４９）によって受け止められたメダル（Ｃ）の有無を、その第１メダル検知センサー（５０）が検知した出力信号に基いて、メダル送出用回転ディスク（Ｄ）の駆動モーター（４）を制御する。上記メダル送出変向通路（Ｐ３）内にメダル（Ｃ）が有る時には、メダル送出用回転ディスク（Ｄ）の駆動を一旦停止し、そのメダル（Ｃ）が無ければ、同じく回転ディスク（Ｄ）を駆動して、メダル（Ｃ）を回転ディスク（Ｄ）の円周面から外側のメダル送出口（メダル送出通路の入口）（Ｏ）へ押し進め送出させるようになっている。
【００８０】
他方、メダル送出変向通路（Ｐ３）内の駆動回転羽根（４９）によって、その下端部（出口）から飛ばし出されたメダル（Ｃ）を、第２メダル検知センサー（５１）が検知した出力信号に基いて、その回転羽根（４９）の駆動モーター（５２）を制御する。そのメダル（Ｃ）をメダル送出変向通路（Ｐ３）から飛ばし出す毎に、回転羽根（４９）の駆動を一旦停止して、引き続き自然落下するメダル（Ｃ）を受け止めるべく待機するようになっている。
【００８１】
更に、据付け台（１）側のメダル送出用回転ディスク（Ｄ）の駆動によってメダル送出口（メダル送出通路の入口）（Ｏ）へ押し進め送出される最先（第１番目）のメダル（Ｃ）を、その第３メダル検知センサー（６９）が検知した出力信号に基いて、上記メダル送出変向通路（Ｐ３）内のメダル受け止め用駆動回転羽根（４９）を駆動し始めるようになっている。
【００８２】
尚、上記据付け台（１）側のメダル送出通路（Ｐ１）に臨む第３メダル検知センサー（６９）やメダル送出変向通路（Ｐ３）内にあるメダル受け止め用回転羽根（４９）の駆動モーター（５２）並びに上下一対の第１、２メダル検知センサー（５０）（５１）も、上記メダル送出用回転ディスク（Ｄ）の駆動モーター（４）と同じく、ホッパー制御基板（５）を介して遊技（ゲーム）機などの主制御基板（図示省略）へ電気的に接続されている。
【００８３】
上記構成を備えたエレベーター式（リフト式）のメダル送出装置において、メダル送出用回転ディスク（Ｄ）が駆動されると、ホッパータンク（３）内のメダル（Ｃ）はこれの円弧弯曲羽根（１０）により、その円周面の外側位置にあるメダル送出口（メダル送出通路の入口）（Ｏ）を経て、据付け台（１）側のメダル送出通路（Ｐ１）とそのメダル送出延長通路（Ｐ２）を上方へ強制的に押し進め送出されることとなり、最上端部（頂点位置）まで到達するや否や、引き続きメダル送出変向通路（Ｐ３）内へ自然落下し、その内部にある駆動回転羽根（４９）により一旦受け止められて、その後下端部（出口）から飛ばし出される。
【００８４】
そして、上記メダル送出用回転ディスク（Ｄ）の駆動中、メダル送出通路（Ｐ１）に臨むメダル送出羽根車（Ｒ）のメダル送出羽根板（６１）が、その回転ディスク（Ｄ）から押し進められてくるメダル（Ｃ）を円滑・確実に受け入れて、これと必らず接触して摩擦回転（自転）することにより、図２５、２７の矢印（Ａ）で示す一方向（送出方向／上方）へメダル（Ｃ）を送出すると同時に、そのメダル送出羽根板（６１）との一体的に回転するメダル検知子（センサードク）（６２）が、第３メダル検知センサー（６９）によって正確に検知（カウント）されるのである。
【００８５】
しかも、上記メダル送出羽根車（Ｒ）における軸筒（ボス）（６０）の下端部には、多数の凹凸条（６５）が細かく刻設されており、その凹凸条（歯列）（６５）とこれに差し込み係止された逆止爪（６６）とから成るラチエット機構が設けられているため、万一にもメダル送出羽根車（Ｒ）が逆回転して、メダル（Ｃ）がその送出通路（Ｐ１）を下方へ逆流するおそれはない。このことも、上記第３メダル検知センサー（５９）によるメダル（Ｃ）の正確な検知（カウント）に役立つのである。
【００８６】
但し、メダル送出羽根車（Ｒ）の逆回転（送出メダルの逆流）を防止できる機構であるならば、上記ラチエット機構に代えて、図２９〜３６の変形実施形態に示すようなワンウエイクラッチ機構やその他の機構を採用しても良い。図２９〜３６の符号（８０）はベアリング型のワンウエイクラッチであって、その軸穴（８１）の内周面に全体的な放射対称分布型として切り欠かれた複数の楔溝（８２）と、その内部に挿入セットされたローラー（８３）とを備えており、上記メダル送出羽根車（Ｒ）の軸筒（ボス）（６０）内へ凹凸嵌合する状態に圧入一体化されている。
【００８７】
そして、そのメダル送出羽根車用支軸（５７）のネジ孔（５８）へ上方からねじ込まれる固定ビス（５９）によって、上記ワンウエイクラッチ（８０）が抜け止め状態に保たれているのである。
【００８８】
尚、図１２〜２４の実施形態と、これにほぼ対応する図２９〜３６の変形実施形態に示したメダル送出羽根車（Ｒ）は高強度な合成樹脂からの一体成形品として、その軸筒（ボス）（６０）からメダル送出羽根板（６１）とメダル検知子（センサードグ）（６２）とを連続一体に張り出しているが、メダル送出羽根板（６１）とメダル検知子（センサードグ）（６２）とを別個に作成して、そのメダル送出羽根板（６１）における軸筒（ボス）の下端面とメダル検知子（センサードグ）（６２）における軸筒（ボス）の上端面とを凹凸嵌合させたり、或いはその一方における軸筒（ボス）の外周面と他方における軸筒（ボス）の内周面とを凹凸嵌合（例えばスプライン嵌合）させたりして、互いに一体回転し得るように組み立てても良い。
【００８９】
上記第３メダル検知センサー（６９）が送出メダル（Ｃ）を検知した出力信号に基いて、上記メダル送出変向通路（Ｐ３）内にあるメダル受け止め用回転羽根（４９）が駆動され、その一旦受け止められたメダル（Ｃ）は駆動回転羽根（４９）により、メダル送出変向通路（Ｐ３）の下端部から飛ばし出されることとなる。その飛ばし出されるメダル（Ｃ）は第２メダル検知センサー（５１）によって検知（カウント）され、そのセンサー（５１）からの検知出力信号に基いて、上記回転羽根（４９）の駆動が停止されるのである。
【００９０】
又、上記駆動回転羽根（４９）よりも上側位置にある第１メダル検知センサー（５０）が、その回転羽根（４９）によって一旦受け止められた状態にあるメダル（Ｃ）を検知した時には、そのメダル（Ｃ）の無くなったことを検知するまで、上記メダル送出用回転ディスク（Ｄ）の駆動が停止されるようになっている。
【００９１】
上記送出メダル検知機構（Ｕ）を形作っているメダル送出羽根車（Ｒ）のメダル送出羽根板（６１）は、予じめ図２５、２６のように、メダル送出用回転ディスク（Ｄ）の円周面から外側へ押し進められてくるメダル（Ｃ）のメダル送出通路（Ｐ１）に臨んでおり、しかもその軸筒（ボス）（６０）を受け持つスライドプレート（５６）が、引張りコイルバネ（７４）によってメダル送出通路（Ｐ１）を使用メダル（Ｃ）の最小サイズ（直径）よりも狭い一定の開口幅（Ｚ）（先に例示した約１５mm）に保つ方向へ弾圧付勢されているため、そのメダル（Ｃ）が例えば約２１mmの最小サイズであっても、或いは約２６．５mmの最大サイズであっても、そのメダル送出通路（Ｐ１）の開口幅を調整する必要なく、そのままで図２７、２８から明白なように、送出メダル（Ｃ）を１枚づつ洩れなく検知（カウント）することができることになる。
【００９２】
更に言えば、上記メダル送出通路（Ｐ１）は使用メダル（Ｃ）の最大サイズ（直径）とほぼ同じ対応寸法以上の開口幅（Ｗ）を備えているが、そのメダル送出通路（Ｐ１）における途中の一部は上記引張りコイルバネ（７４）の付勢力を受けたメダル送出羽根車（Ｒ）のメダル送出通路（Ｐ１）へ臨むメダル送出羽根板（６１）により、使用メダル（Ｃ）の最小サイズ（直径）よりも狭い開口幅（Ｚ）として予じめ一定不変に規定されているため、その使用されるメダル（Ｃ）が最大サイズであれば勿論のこと、その使用メダル（Ｃ）が最小サイズであっても、上記狭い開口幅（Ｚ）を引張りコイルバネ（７４）の弾圧付勢力に抗して押し広げることができ、その押し広げる力を摩擦力として、上記メダル送出羽根車（Ｒ）を自づと一方向（上方）へ回転させ得るのであり、そのメダル送出羽根板（６１）によるメダル（Ｃ）の送出作用とメダル検知子（センサードグ）（６２）による送出メダル（Ｃ）の検知（カウント）作用とを営なむ。
【００９３】
その際、使用されるメダル（Ｃ）のサイズ（直径）が大きくなればなる程、そのメダル送出羽根車（Ｒ）に働く摩擦力は強くなるため、その大小サイズに応じた強さの摩擦力によって、上記メダル送出羽根車（Ｒ）を常時しっかりと安定良く回転させることができることになり、そのメダル（Ｃ）における１枚づつの送出作用や検知（カウント）作用にミスを生じるおそれはない。メダル送出羽根車（Ｒ）がメダル（Ｃ）を送出する一方向（順方向）へ空廻りするおそれも勿論ない。
【００９４】
尚、図１〜３６の第１実施形態に基いて送出メダル検知機構（Ｕ）のメダル送出羽根車（Ｒ）を説示したが、これは言わば機能的な刻み（送り）回転体として、刻み回転動作により１枚づつのメダル送り作用とメダル検知（カウント）作用を営なめる限り、その名称がメダル送出羽根車である必要はなく、例えばこれに代るメダル送出爪車などと名付けても同じである。その材質も上記の高強度な合成樹脂のみならず、金属から作成することができる。
【００９５】
上記エレベーター式（リフト式）のメダル送出装置ではメダル送出用回転ディスク（Ｄ）からメダル送出延長通路（Ｐ２）の最上端部（頂点位置）まで、送出メダル（Ｃ）が数珠繋ぎに積み重なる状態として待機する関係上、そのメダル（Ｃ）のサイズが大小変化すると、メダル（Ｃ）同士の隣り合う境界部（切れ目）も変ることになるため、その検知（カウント）する位置の精密な調整が不可欠である。
【００９６】
この点、上記第１実施形態の構成を採用するならば、送出メダル（Ｃ）を図１１のように最上端部（頂点位置）からメダル送出変向通路（Ｐ３）へ、言わばＵターンする如く自然落下させるようになっているため、その落下する先行メダルは未だ最上端部（頂点位置）に残存している後行メダルから、自づと分離されることになり、その分離されてから回転羽根（４９）により一旦受け止められて、これを検知（カウント）するようになっている結果、メダル（Ｃ）のサイズが大小変化しても、その１枚づつを常時正確に検知（カウント）することができる。その自然落下の分離によって、上記メダル送出用回転ディスク（Ｄ）のメダル押し進め強制力並びに数珠繋ぎ状態が一旦解除され、メダル（Ｃ）同士の隣り合う境界部（切れ目）が無くなるからである。
【００９７】
つまり、図示実施形態のエレベーター式（リフト式）メダル送出装置の場合、メダル送出通路（Ｐ１）とそのメダル送出延長通路（Ｐ２）並びにメダル送出変向通路（Ｐ３）の開口幅（Ｗ）を、使用するメダルの最大サイズとほぼ同じ対応寸法（図例では約２６．５mm）以上に設定しておくだけで、その大メダルはもとより、小メダルであっても、更には大小メダルが混在していても、すべて支障なく正確に検知（カウント）できるのであり、そのメダルの検知位置や送出位置を調整したり、部品を交換したりする必要は一切ない。
【００９８】
次に、図３７〜４１は本発明の第２実施形態として、やはり約２１mmの最小サイズ（直径）から約２６．５mmの最大サイズ（直径）までのメダル（Ｃ）につき、無調整で使える仕様の非エレベーター式（払い出し式）メダル送出装置を示しており、これが上記第１実施形態のエレベーター式（リフト式）メダル送出装置と異なる構成について要説すると、下記のとおりである。
【００９９】
即ち、非エレベーター式メダル送出装置における据付け台（１）の天板（２）は水平の設置状態にある。但し、そのメダル送出装置の仕様如何では上記第１実施形態と同じ後上がりの傾斜設置状態になることもあり得る。
【０１００】
メダル送出用回転ディスク（Ｄ）における円周面の外側位置に臨むセパレートローラー（１１）と、送出メダル検知機構（Ｕ）を形作るメダル送出羽根車（Ｒ）のメダル送出羽根板（６１）との向かい合う相互間が、メダル送出通路（Ｐ１）の入口（メダル送出口）（Ｏ）として画定されており、ここからメダル（Ｃ）がメダル送出通路（Ｐ１）を経て、図４１の矢印（Ａ）で示す一方向へ１枚づつ順次送出されるようになっている。
【０１０１】
その場合、メダル送出口（Ｏ）を入口とするメダル送出通路（Ｐ１）の開口幅（Ｗ）は、メダル送出羽根車（Ｒ）におけるメダル送出羽根板（６１）の下流位置と、片サイドスペーサー（メダル案内プレート）（１５）の開口縁部とから、使用されるメダル（Ｃ）の最大サイズ（直径）（先に例示した約２６．５mm）よりも若干広大な寸法の空間として開放されており、据付け台（１）の天板（２）へ複数の固定ビス（２３）を介して取り付けられたフロントプレート（２２）により、表側（正面）から被覆されている。
【０１０２】
そして、上記第１実施形態ではメダル送出通路（Ｐ１）における途中の一部が、引張りコイルバネ（７４）の付勢力を受けたメダル送出羽根車（Ｒ）のメダル送出羽根板（６１）により、使用メダル（Ｃ）の最小サイズよりも狭い一定の開口幅（Ｚ）（先に例示した約１５mm）として制限されているが、茲に第２実施形態ではメダル送出通路（Ｐ１）の入口（メダル送出口）（Ｏ）の開口幅（Ｚ）を、同じくメダル送出羽根車（Ｒ）のメダル送出羽根板（６１）によって、使用メダル（Ｃ）の最小サイズ（先に例示した約２１mm）よりも狭い一定の開口幅（Ｚ）（先に例示した約１５mm）に規定している。
【０１０３】
第２実施形態の構成では、上記第１実施形態のような据付け台（１）側のメダル送出通路（Ｐ１）のほかに、そのメダル（Ｃ）を上方へ案内するメダル送出延長通路（Ｐ２）と、メダル送出変向通路（Ｐ３）を具備していない。従って、上記第１実施形態のメダル逆流防止器（４３）やメダル受け止め用回転羽根（４９）、その駆動モーター（５２）、第１、２メダル検知センサー（５０）（５１）なども具備していない。
【０１０４】
又、送出メダル検知機構（Ｕ）における第４メダル検知センサー（７７）とそのセンサー取付マスト（７５）の設置は省略されており、そのため上記メダル送出通路（Ｐ１）のフロントプレート（２２）にはセンサー取付マスト（７５）の逃し入れ孔（２４）が無く、メダル送出羽根車（Ｒ）のスライドガイド長孔（２５）だけが切り抜かれているにとどまる。
【０１０５】
そのスライドガイド長孔（２５）におけるメダル送出口（メダル送出通路の入口）（Ｏ）へ接近する一端側（内側）の開口縁部がメダル送出羽根車（Ｒ）の初期セット用位置決めストッパー（２５ｓ）として、例えば図示のような直線形態に切り欠かれていることは、上記第１実施形態と実質的に同一である。
【０１０６】
図３７〜４１の第２実施形態におけるその他の構成は上記第１実施形態と実質的に同一であるため、その図３７〜４１に図１〜３６との同一符号を記入するにとどめて、その詳細な説明を省略するが、上記第２実施形態の非エレベーター式（払い出し式）メダル送出装置にあっても、メダル送出用回転ディスク（Ｄ）の回転によって押し進め送出されてくるメダル（Ｃ）が、メダル送出口（メダル送出通路の入口）（Ｏ）に臨むメダル送出羽根車（Ｒ）のメダル送出羽根板（６１）へ、円滑・確実に受け入れられて、これと接触するメダル送出羽根板（６１）の摩擦回転（自転）により、図４１の矢印（Ａ）で示す方向（送出方向）へ送出されることとなる。
【０１０７】
しかも、上記送出メダル検知機構（Ｕ）の検知ユニットケース（５３）内では、その上記メダル送出羽根板（６１）と一体的に回転するメダル検知子（センサードグ）（６２）が、第３メダル検知センサー（６９）によって自づと確実に検知され、送出メダル（Ｃ）のカウントが正しく行われるのである。
【０１０８】
更に、上記メダル送出羽根車（Ｒ）は逆回転しないようになっており、それにもまして引張りコイルバネ（７４）の弾圧付勢力を受けたメダル送出羽根板（６１）が、メダル送出口（メダル送出通路の入口）（Ｏ）の開口幅（Ｚ）を最小メダルの直径よりも狭く規制して、送出メダル（Ｃ）と常時接触する方向に引き寄せられているため、使用されるメダルのサイズ（直径）が大小変化するも、上記第１実施形態と同じく常時正確に検知（カウント）し得るのであり、部品の交換や取付位置の微調整などを一切必要としない。
【０１０９】
尚、その引張りコイルバネ（７４）に代る圧縮コイルバネを用いて、メダル送出羽根車（Ｒ）をメダル送出通路（Ｐ１）と接近する方向へ押圧付勢しても良いことは、上記第１実施形態と同様である。
【符号の説明】
【０１１０】
（１）・据付け台
（２）・天板
（３）・ホッパータンク
（４）（５２）・駆動モーター
（５）・ホッパー制御基板
（６）・モーター出力軸
（７）・ホッパータンク用係止ピン
（８）（１６）（２０）（２３）（４２）（４８）（５９）（６８）（７８）・固定ビス
（９）・メダル受け入れ穴
（１０）・円弧弯曲羽根
（１１）・セパレートローラー
（１２）・ローラー支軸
（１３）・メダル変向ガイドピン
（１４ａ）（１４ｂ）・ケース受け止め切欠
（１５）（１５ａ）（１５ｂ）（４１ａ）（４１ｂ）（４７ａ）（４７ｂ）・サイドスペーサー
（１７）・センサーホルダー用逃し入れ孔
（１８）・羽根車用逃し入れ凹欠
（１９）（４０）（４６）・バックプレート
（２１）（２２）（３９）（４５）・フロントプレート
（２４）・センサー用逃し入れ孔
（２５）・羽根車スライドガイド長孔
（２５ｓ）・位置決めストッパー
（２６）（２７）・メダル逆流防止片
（２８）（２９）（３４）・割り溝
（３０）（３１）・逆流防止片用逃し入れ凹欠
（３２）・コーナーフロントプレート
（３３）（７１）（７６）・ネジ締結具
（３５）・センター押圧片
（３６）・サイド取付片
（３７）・メダル逆流防止片
（３８）（４４）・接続金具
（４３）・メダル逆流防止器
（４９）・駆動回転羽根
（５０）（５１）（６９）（７７）・メダル検知センサー
（５３）・検知ユニットケース
（５４）（５８）・ネジ孔
（５５）・軸受ボス
（５６）・スライドプレート
（５７）・支軸
（６０）・軸筒（ボス）
（６１）・羽根板
（６２）・メダル検知子（センサードグ）
（６３）・ヘッド
（６４）・係止フランジ
（６５）・凹凸条・
（６６）・逆止爪
（６７）・取付座
（７０）・センサー取付ステー
（７１）（７２）・バネ受け片
（７４）・引張りコイルバネ
（７５）・センサー取付マスト
（８０）・ワンウエイクラッチ
（８１）・軸穴
（８２）・楔溝
（８３）・ローラー
（Ｃ）・メダル
（Ｄ）・メダル送出用回転ディスク
（Ｏ）・メダル送出口
（Ｒ）・メダル送出羽根車
（Ｕ）・送出メダル検知機構
（Ｐ１）・メダル送出通路
（Ｐ２）・メダル送出延長通路
（Ｐ３）・メダル送出変向通路
（Ｗ）（Ｚ）・開口幅
【図１】
2014086035.tif 000003
【図２】
2014086035.tif 000004
【図３】
2014086035.tif 000005
【図４】
2014086035.tif 000006
【図５】
2014086035.tif 000007
【図６】
2014086035.tif 000008
【図７】
2014086035.tif 000009
【図８】
2014086035.tif 000010
【図９】
2014086035.tif 000011
【図１０】
2014086035.tif 000012
【図１１】
2014086035.tif 000013
【図１２】
2014086035.tif 000014
【図１３】
2014086035.tif 000015
【図１４】
2014086035.tif 000016
【図１５】
2014086035.tif 000017
【図１６】
2014086035.tif 000018
【図１７】
2014086035.tif 000019
【図１８】
2014086035.tif 000020
【図１９】
2014086035.tif 000021
【図２０】
2014086035.tif 000022
【図２１】
2014086035.tif 000023
【図２２】
2014086035.tif 000024
【図２３】
2014086035.tif 000025
【図２４】
2014086035.tif 000026
【図２５】
2014086035.tif 000027
【図２６】
2014086035.tif 000028
【図２７】
2014086035.tif 000029
【図２８】
2014086035.tif 000030
【図２９】
2014086035.tif 000031
【図３０】
2014086035.tif 000032
【図３１】
2014086035.tif 000033
【図３２】
2014086035.tif 000034
【図３３】
2014086035.tif 000035
【図３４】
2014086035.tif 000036
【図３５】
2014086035.tif 000037
【図３６】
2014086035.tif 000038
【図３７】
2014086035.tif 000039
【図３８】
2014086035.tif 000040
【図３９】
2014086035.tif 000041
【図４０】
2014086035.tif 000042
【図４１】
2014086035.tif 000043
【手続補正書】
【提出日】平成24年11月2日(2012.11.2)
【手続補正１】
【補正対象書類名】明細書
【補正対象項目名】００４５
【補正方法】変更
【補正の内容】
【００４５】
そのコーナーフロントプレート（３２）は図２、５、７、８から明白なように、上記両サイドスペーサー（１５ａ）（１５ｂ）における先端部（上端部）と同じ一定幅（Ｘ２）のほぼ長方形をなしているが、その上下方向から互いに等しい深さだけ切り込まれた左右一対づつの割り溝（３４）を介して、上記メダル送出通路（Ｐ１）の内部（メダル送出通路の長手中心線上）に臨む上下一対のセンター押圧片（３５）と、その左右両隣り位置に上下一対づつのサイド取付片（３６）とが並ぶ合計３列に区分されており、その両サイド取付片（３６）を中間部においてメダル送出通路（Ｐ１）の両サイドスペーサー（１５ａ）（１５ｂ）とバックプレート（１９）へ、上記ネジ締結具（３３）によって表側から強制的な弯曲状態に取り付け固定した時、センター押圧片（３５）の上下両端部がメダル逆流防止片（３７）として、メダル（Ｃ）を表側から弾力的に押え付けるようになっている。
【手続補正２】
【補正対象書類名】明細書
【補正対象項目名】００７５
【補正方法】変更
【補正の内容】
【００７５】
第３、４送出メダル検知センサー（６９）（７７）を互いに同じフォトインタラプタとし、そのセンサー取付ステー（７０）とセンサー取付マスト（７５）も互いに同じ形態として、両メダル検知センサー（６９）（７７）を互換的に取り付け使用することができる（この点、図例では両メダル検知センサーが互いに上下逆向きとして取り付けられている）が、上記センサー取付マスト（７５）に取り付けられる第４送出メダル検知センサー（７７）は第３送出メダル検知センサー（６９）の言わば補助として、その設置を省略してもさしつかえない。その場合、上記検知ユニットケース（５３）のセンサー取付マスト（７５）と上記フロントプレート（２１）（２２）のセンサー取付マスト用逃し入れ孔（２４）を設ける必要がないことは、言うまでもない。
【手続補正３】
【補正対象書類名】明細書
【補正対象項目名】０１０５
【補正方法】変更
【補正の内容】
【０１０５】
そのスライドガイド長孔（２５）におけるメダル送出口（メダル送出通路の入口）（Ｏ）へ接近する一端側（内側）の開口縁部がメダル送出羽根車（Ｒ）の初期設定用位置決めストッパー（２５ｓ）として、例えば図示のような直線形態に切り欠かれていることは、上記第１実施形態と実質的に同一である。
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
ホッパータンク内のメダルをそのメダル送出用回転ディスクの駆動により、その回転ディスクの円周面よりも外側位置にあるメダル送出口から、順次１枚づつ送り出すホッパー型メダル送出装置において、
上記メダル送出口又はここが入口となるメダル送出通路の途中の開口幅を、メダルと接近する方向への弾圧付勢力が与えられたメダル送出羽根車によって、使用されるメダルの最小サイズよりも狭く規定すると共に、
上記メダル送出羽根車におけるメダルを送出する順方向への回転は許すが、逆方向への回転は阻止する逆転防止機構を設けて、
上記狭く規定された開口幅を上記弾圧付勢力に抗して押し広げるメダルが、そのメダル送出羽根車を順方向へのみ回転させることにより、１枚づつのメダル送出作用とメダルカウント作用を営なむように設定したことを特徴とするホッパー型メダル送出装置における送出メダルの検知機構。
【請求項２】
メダル送出羽根車の逆転防止機能として、その羽根車におけるボスの円周面に刻設された多数の平行な凹凸条と、その凹凸条へ差し込み係止されて、上記羽根車の逆回転を防ぐ逆止爪とから成るラチェット機構を採用したことを特徴とする請求項１記載のホッパー型メダル送出装置における送出メダルの検知機構。
【請求項３】
メダル送出羽根車の上部を、各辺がメダル受け入れ用円弧凹曲面をなすほぼ正多角形のメダル送出羽根板として、メダル送出口又はここが入口となるメダル送出通路の途中へ臨ませる一方、
同じくメダル送出羽根車の下部をセンサードグとして、上記メダル送出羽根板の等分数と同じ複数だけ全体的な放射対称分布型に張り出すと共に、
上記センサードグを透過型又は反射型のフォトセンサーから成るメダル検知センサーにより、メダルの１枚づつとしてカウントするように設定したことを特徴とする請求項１記載のホッパー型メダル送出装置における送出メダルの検知機構。
【請求項４】
メダル送出羽根車を高強度な合成樹脂から成形されたボスと、そのボスの中段位置から横方向へ連続一体に張り出すほぼ正多角形のメダル送出羽根板と、同じくボスの下段位置から全体的な放射対称分布型として、上記メダル送出羽根板の等分数と同じ複数だけ横方向へ連続一体に張り出すセンサードグとから形作ったことを特徴とする請求項１又は３記載のホッパー型メダル送出装置における送出メダルの検知機構。
【請求項５】
メダル送出羽根車におけるメダル送出羽根板とセンサードクとを別個に作成して、そのメダル送出羽根板のボスとセンサードグのボスとを一体回転し得るように組み立てたことを特徴とする請求項３記載のホッパー型メダル送出装置における送出メダルの検知機構。
【請求項６】
メダル送出通路を被覆するフロントプレートの当該通路横断方向に沿って、メダル送出羽根車用スライドガイド長孔を開口延在させ、
メダルと接近する方向への弾圧付勢力が与えられたメダル送出羽根車のボスを、上記スライドガイド長孔におけるメダルと接近する一端側の開口縁部により受け止めて、
上記メダル送出通路の途中又はその通路の入口となるメダル送出口の開口幅を、使用されるメダルの最小サイズよりも狭く確保すると共に、
上記ボスとこれを受け止める上記一端側の開口縁部とから成る初期位置決め設定手段によって、使用初期に上記メダル送出羽根車のメダル送出羽根板を、そのメダル受け入れ用円弧凹曲面がメダルを円滑に受け入れて送出できる方向性の待機状態に保つことを特徴とする請求項１記載のホッパー型メダル送出装置における送出メダルの検知機構。
【請求項７】
初期位置決め設定手段をメダル送出羽根車側のボスからメダル送出羽根板と同じ正多角形に張り出された位置決め用係止フランジと、その係止フランジにおける任意な１辺を係止し得るスライドガイド長孔側の位置決めストッパーとから形作ったことを特徴とする請求項６記載のホッパー型メダル送出装置における送出メダルの検知機構。
【請求項８】
ボスからメダル送出羽根板とセンサードグとの上下一対が連続一体に張り出すメダル送出羽根車と、そのメダル送出羽根車のボスを回転自在に支持したスライドプレートと、そのスライドプレートを常時メダルと接近する方向へ弾圧付勢するコイルバネと、上記メダル送出羽根車のセンサードグを挟むフォトインタラプタとを、１個の検知ユニットケースへ組み込み一体化すると共に、
メダル送出用回転ディスクとその駆動モーターを備えた据付け台の天板へ、上記検知ユニットケースをカセットとして着脱自在に取り付けたことを特徴とする請求項１記載のホッパー型メダル送出装置における送出メダルの検知機構。
【請求項９】
メダル送出羽根車のボスを支持したスライドプレートへ、その羽根車のセンサードクを挟むフォトインタラプタも取り付けたことを特徴とする請求項８記載のホッパー型メダル送出装置における送出メダルの検知機構。
【手続補正２】
【補正対象書類名】明細書
【補正対象項目名】全文
【補正方法】変更
【補正の内容】
【発明の詳細な説明】
【技術分野】
【０００１】
本発明は各種遊技（ゲーム）機や両替機などに接続されるエレベーター式（リフト式）のメダル送出装置を初め、各種自動販売機や釣り銭機、スロットマシンなどに内蔵される非エレベーター式（払い出し式）のメダル送出装置におけるホッパータンクから、回転ディスクによって送り出されるメダル（遊技媒体のメダルやトークンなどのほか、通貨のコインも含む）の検知機構に係り、殊更その使用されるメダルのサイズ（直径）が大小変化しても、これを送り出す部材の交換やその取付位置の調整などを行う必要なく、正しく検知（カウント）し得るように工夫したものである。
【背景技術】
【０００２】
この種ホッパー型メダル送出装置では、使用されるメダルのサイズ（直径）に応じて、これを送り出す必要部材とその取付位置関係が一定に決まっているため、そのメダルのサイズが大小変化した場合には、もはやそのままの状態では正規に使用することができず、その必要部材の交換や取付位置の調整などを行わなければならない。
【０００３】
このような各種サイズ毎の煩らわしい必要部材の交換作業やその取付位置の調整作業を容易化するための発明が、下記特許文献１〜５に開示されている。
【０００４】
特に、上記特許文献１〜５に開示されているような非エレベーター式（払い出し式）のメダル送出装置に比して、メダルをその送出用回転ディスクの駆動により、１枚づつ強制的に上方へ押し進め送出するエレベーター式（リフト式）のメダル送出装置では、そのメダルエレベーターの上端出口部まで押し上げられる過程のメダルが、その隣り合う同士の離れるおそれなく、常に連続する数珠繋ぎ状態（積み重なる状態）に待機することになるため、そのメダルを送り出す必要部材の取付位置調整はますます重要となり、メダルのサイズ（直径）変化に応じた高精度な微調整を求められるのである。
【０００５】
このようなエレベーター式（リフト式）のメダル送出装置を対象として、その煩らわしい調整作業を容易化するための発明も、下記特許文献６〜１０に開示されている。
【０００６】
【特許文献１】特開平１１−３３９０８６号公報
【特許文献２】特開２００２−１５０３４７号公報
【特許文献３】特開２００３−１２３１１２号公報
【特許文献４】特開２００３−１３２３８９号公報
【特許文献５】特許第４３４３１９９号公報
【特許文献６】特許第４１４３７３４号公報
【特許文献７】特許第３６５０７１０号公報
【特許文献８】特許第４２８４６７８号公報
【特許文献９】特開２００６−３５０５３７号公報
【特許文献１０】特許第４３２７２４５号公報
【発明の概要】
【発明が解決しようとする課題】
【０００７】
ところが、上記特許文献１〜１０に開示された公知発明の構成では、たとえ取付位置の調整作業を容易に正しく行えるとしても、未だ調整作業を必要とすることに変りはなく、依然不便であり、汎用性に劣る。
【課題を解決するための手段】
【０００８】
本発明はこのような課題の抜本的な解決を目的としており、その目的を達成するために請求項１ではホッパータンク内のメダルをそのメダル送出用回転ディスクの駆動により、その回転ディスクの円周面よりも外側位置にあるメダル送出口から、順次１枚づつ送り出すホッパー型メダル送出装置において、
【０００９】
上記メダル送出口又はここが入口となるメダル送出通路の途中の開口幅を、メダルと接近する方向への弾圧付勢力が与えられたメダル送出羽根車によって、使用されるメダルの最小サイズよりも狭く規定すると共に、
【００１０】
上記メダル送出羽根車におけるメダルを送出する順方向への回転は許すが、逆方向への回転は阻止する逆転防止機構を設けて、
【００１１】
上記狭く規定された開口幅を上記弾圧付勢力に抗して押し広げるメダルが、そのメダル送出羽根車を順方向へのみ回転させることにより、１枚づつのメダル送出作用とメダルカウント作用を営なむように設定したことを特徴とする。
【００１２】
又、請求項２ではメダル送出羽根車の逆転防止機能として、その羽根車におけるボスの円周面に刻設された多数の平行な凹凸条と、その凹凸条へ差し込み係止されて、上記羽根車の逆回転を防ぐ逆止爪とから成るラチェット機構を採用したことを特徴とする。
【００１３】
請求項３ではメダル送出羽根車の上部を、各辺がメダル受け入れ用円弧凹曲面をなすほぼ正多角形のメダル送出羽根板として、メダル送出口又はここが入口となるメダル送出通路の途中へ臨ませる一方、
【００１４】
同じくメダル送出羽根車の下部をセンサードグとして、上記メダル送出羽根板の等分数と同じ複数だけ全体的な放射対称分布型に張り出すと共に、
【００１５】
上記センサードグを透過型又は反射型のフォトセンサーから成るメダル検知センサーにより、メダルの１枚づつとしてカウントするように設定したことを特徴とする。
【００１６】
請求項４ではメダル送出羽根車を高強度な合成樹脂から成形されたボスと、そのボスの中段位置から横方向へ連続一体に張り出すほぼ正多角形のメダル送出羽根板と、同じくボスの下段位置から全体的な放射対称分布型として、上記メダル送出羽根板の等分数と同じ複数だけ横方向へ連続一体に張り出すセンサードグとから形作ったことを特徴とする。
【００１７】
請求項５ではメダル送出羽根車におけるメダル送出羽根板とセンサードクとを別個に作成して、そのメダル送出羽根板のボスとセンサードグのボスとを一体回転し得るように組み立てたことを特徴とする。
【００１８】
請求項６ではメダル送出通路を被覆するフロントプレートの当該通路横断方向に沿って、メダル送出羽根車用スライドガイド長孔を開口延在させ、
【００１９】
メダルと接近する方向への弾圧付勢力が与えられたメダル送出羽根車のボスを、上記スライドガイド長孔におけるメダルと接近する一端側の開口縁部により受け止めて、
【００２０】
上記メダル送出通路の途中又はその通路の入口となるメダル送出口の開口幅を、使用されるメダルの最小サイズよりも狭く確保すると共に、
【００２１】
上記ボスとこれを受け止める上記一端側の開口縁部とから成る初期位置決め設定手段によって、使用初期に上記メダル送出羽根車のメダル送出羽根板を、そのメダル受け入れ用円弧凹曲面がメダルを円滑に受け入れて送出できる方向性の待機状態に保つことを特徴とする。
【００２２】
請求項７では初期位置決め設定手段を、メダル送出羽根車側のボスからメダル送出羽根板と同じ正多角形に張り出された位置決め用係止フランジと、その係止フランジにおける任意な１辺を係止し得るスライドガイド長孔側の位置決めストッパーとから形作ったことを特徴とする。
【００２３】
請求項８ではボスからメダル送出羽根板とセンサードグとの上下一対が連続一体に張り出すメダル送出羽根車と、そのメダル送出羽根車のボスを回転自在に支持したスライドプレートと、そのスライドプレートを常時メダルと接近する方向へ弾圧付勢するコイルバネと、上記メダル送出羽根車のセンサードグを挟むフォトインタラプタとを、１個の検知ユニットケースへ組み込み一体化すると共に、
【００２４】
メダル送出用回転ディスクとその駆動モーターを備えた据付け台の天板へ、上記検知ユニットケースをカセットとして着脱自在に取り付けたことを特徴とする。
【００２５】
更に、請求項９ではメダル送出羽根車のボスを支持したスライドプレートへ、その羽根車のセンサードクを挟むフォトインタラプタも取り付けたことを特徴とする。
【発明の効果】
【００２６】
請求項１の上記構成によれば、メダル送出口の開口幅又はそのメダル送出口が入口となるメダル送出通路における途中（一部）の開口幅を、送出メダルと接近する方向への弾圧付勢力が与えられた言わば刻み（送り）回転体として機能するメダル送出羽根車により、使用されるメダルの最小サイズ（直径）よりも常に狭く規定しているため、その使用メダルのサイズ（直径）が最小から最大まで広範囲に相違変化するも、その１枚づつの確実な送出作用と正確な検知（カウント）作用を自づと達成することができるのであり、冒頭に述べた従来技術のような使用メダルのサイズ変化に伴なう上記開口幅の調整作業を初め、メダル送出作用に必要な部材の交換作業やメダル検知（カウント）位置の精密な調整作業などを行う必要が一切無くなる。
【００２７】
又、メダル送出羽根車におけるメダルを送出する順方向への回転は許すが、逆方向への回転は阻止する逆転防止機能を設けてあるため、メダル送出用回転ディスクがその駆動モーターの過負荷などに起因して逆回転し、延いてはメダルの逆流やメダル送出羽根車の逆回転を阻止することができ、送出メダルの誤まった検知（カウント）作用も予防し得る効果がある。その場合、メダル送出羽根車はメダルとの摩擦力によって言わば刻み回転されるため、そのメダルを送出する順方向へ空廻りするおそれもない。
【００２８】
請求項３の構成を採用するならば、上記メダル送出羽根車の上部をメダル送出口又はメダル送出通路に臨むメダル送出羽根板として、同じくメダル送出羽根車の下部をメダル検知センサーにより検知されるセンサードグ（メダル検知子）として、そのメダル送出羽根車を例えば高強度な合成樹脂から容易に一体成形することができ、特に上記メダル送出羽根板のほぼ正多角形をなす各辺がメダル受け入れ用の円弧凹曲面として造形されていることや、上記センサードグ（メダル検知子）がその羽根枚数と同じ複数だけ放射対称分布型に張り出し設置されていることとも相俟って、１枚づつのメダル送出作用とメダル検知（カウント）作用を言わば一挙同時に、しかもますます安定良く営なませ得るのである。
【００２９】
更に、請求項６の構成を採用するならば、メダル送出羽根車のボス（軸筒）とこれを受け止めるスライドガイド長孔の開口縁部とから成る初期位置決め設定手段によって、ホッパー型メダル送出装置の使用初期におけるメダル送出羽根車のメダル送出羽根板を、そのメダル受け入れ用円弧凹曲面が据付け台側のメダル送出用回転ディスクから押し進め送出されてくるメダルを、突っ張ることなく円滑に受け入れて（捕捉して）送出できる方角の待機状態に保つようになっているため、１枚づつのメダル送出作用とメダル検知（カウント）作用を正確に安定良く行わせることができるのである。
【００３０】
特に、請求項８の構成を採用するならば、送出メダル検知機構をその検知ユニットケースに組み込み一体化されたユニット体として、これを据付け台の天板へ言わばカセット式又はカートリッジ式に着脱作業することができ、その据付け台の天板から取りはずして、上記ユニット体の部品交換や保守点検などの作業を制約なく便利に行える効果もある。
【図面の簡単な説明】
【００３１】
【図１】本発明に係るメダル送出装置の第１実施形態を示す全体概略斜面図である。
【図２】ホッパータンクを取りはずした状態の図１の部分拡大正面図である。
【図３】図２の背面図である。
【図４】図２の側面図である。
【図５】図２の拡大平面図である。
【図６】天板とメダル送出通路並びに送出メダル検知機構の位置関係を示す分解斜面図である。
【図７】図５からメダル送出通路のフロントプレートを取りはずした状態の平面図である。
【図８】図７の８−８線に沿って破断した状態を示す斜面図である。
【図９】図１のメダル送出変向通路を抽出して示す斜面図である。
【図１０】図９の分解斜面図である。
【図１１】図１のメダル送出延長通路からメダル送出変向通路へＵターンするメダルの送出作用を示す正面図である。
【図１２】図６の送出メダル検知機構を抽出して示す分解斜面図である。
【図１３】その送出メダル検知機構のメダル送出羽根車を抽出して示す上方から見た斜面図である。
【図１４】図１３の下方から見た斜面図である。
【図１５】図１２の組立状態を示す拡大斜面図である。
【図１６】図１５の平面図である。
【図１７】図１６の底面図である。
【図１８】図１６の正面図である。
【図１９】図１８の背面図である。
【図２０】図１８の左側面図である。
【図２１】図１８の右側面図である。
【図２２】図１６の２２−２２線拡大断面図である。
【図２３】図１６の２３−２３線拡大断面図である。
【図２４】図２２の２４−２４線断面図である。
【図２５】メダル送出羽根車の初期セットされた待機状態を示す平面図である。
【図２６】図２５の２６−２６線拡大断面図である。
【図２７】メダル送出羽根車によるメダルの送出作用過程を示す平面図である。
【図２８】図２７の２８−２８線断面図である。
【図２９】送出メダル検知機構の変形実施形態を示す図１２に対応する分解斜面図である。
【図３０】その送出メダル検知機構のメダル送出羽根車を抽出して示す上方から見た斜面図である。
【図３１】図３０の下方から見た斜面図である。
【図３２】図２９の組立状態を示す斜面図である。
【図３３】図３２の平面図である。
【図３４】図３３の３４−３４線断面図である。
【図３５】図３３の３５−３５線拡大断面図である。
【図３６】図３５の３６−３６線拡大断面図である。
【図３７】本発明に係るメダル送出装置の第２実施形態を示す平面図である。
【図３８】図３７の側面図である。
【図３９】図３７からメダル送出通路のフロントプレートを取りはずした状態の平面図である。
【図４０】図３７の送出メダル検知機構を抽出して示す平面図である。
【図４１】図３９のメダル送出羽根車によるメダルの送出作用過程を示す平面図である。
【発明を実施するための形態】
【００３２】
以下、図面に基いて本発明の具体的構成を詳述すると、図１〜３６はその本発明の第１実施形態として、例えば約２１mmの最小サイズ（直径）から約２６．５mmの最大サイズ（直径）までのメダル（Ｃ）につき、無調整で使用し得る仕様のエレベーター式（リフト式）メダル送出装置を示しており、（１）は一定の角度（α）（例えば約４０度）だけ後上がりに傾斜している天板（２）を備えた金属製の据付け台であって、そのほぼ長方形な天板（２）の表面にはメダル貯留用の透明な合成樹脂製ホッパータンク（３）が、係脱自在に係止される一方、同じく天板（２）の裏面にはメダル送出用回転ディスク（Ｄ）の駆動モーター（４）が固定設置されている。
【００３３】
その回転ディスク用駆動モーター（４）は遊技（ゲーム）機などに具備されている主制御基板（図示省略）へ、マイコン搭載のメダル送出装置制御基板（ホッパー制御基板）（５）を介して、電気的に接続配線されている。そのホッパー制御基板（５）は上記据付け台（１）の枠内に取り付け固定されている。
【００３４】
上記駆動モーター（４）の出力軸（６）は据付け台（１）の天板（２）を貫通しており、これに表側から嵌め付け一体化されたメダル送出用回転ディスク（Ｄ）が、上記ホッパータンク（３）の対応的な円形の開口底面に臨み、そのホッパータンク（３）の言わば可動底をなす。（７）は上記据付け台（１）の天板（２）から表向きに突出する複数のホッパータンク用係止ピン、（８）は同じく据付け台（１）に対する天板（２）の取り付け固定ビスである。
【００３５】
上記メダル送出用の回転ディスク（Ｄ）は金属製品又はこれと同等の高強度な合成樹脂製品として、全体的な放射対称配置型に開口分布する複数（例えば合計４個）の円形なメダル受け入れ穴（９）と、そのメダル受け入れ穴（９）同士の隣り合う相互間から裏向き一体的に突出する同じく複数の円弧弯曲羽根（１０）とを備えており、上記ホッパータンク（３）からメダル受け入れ穴（９）へ受け入れたメダル（Ｃ）を、その円弧弯曲羽根（１０）によって図５、７、２５、２７の矢印（Ｆ）で示す方向へ押し進め、回転ディスク（Ｄ）の円周面から外側にあるメダル送出口（Ｏ）へ、１枚づつ順次送り出し作用するようになっている。
【００３６】
（１１）は上記回転ディスク（Ｄ）における円周面の斜め上側位置に臨むセパレートローラーであって、上記据付け台（１）の天板（２）を貫通するローラー支軸（１２）に、表側から遊転自在に差し込み套嵌されており、後述のサイドスペーサー（中板）と相俟ってメダル送出口（Ｏ）を画定する。
【００３７】
（１３）は上記回転ディスク（Ｄ）の円弧弯曲羽根（１０）によって押し進められてくるメダル（Ｃ）を、下流側から一旦受け止めて、上記メダル送出口（Ｏ）に向かって誘導するためのメダル変向ガイドピンであり、これも上記据付け台（１）の天板（２）を貫通して、その天板（２）の表側に隆起している。
【００３８】
（１４ａ）（１４ｂ）は上記後上がり傾斜設置状態にある天板（２）の上端部へ、図６のような上向き開放状態に加工された複数のケース受け止め切欠であり、後述のメダル検知ユニットケースを受け止めることによって、その検知ユニットケースを据付け台（１）の天板（２）へすばやく正確に取り付け固定できるようになっている。
【００３９】
（１５ａ）（１５ｂ）は一定な開口幅（Ｗ）のメダル送出通路（Ｐ１）を区成する左右一対の細長いサイドスペーサー（中板）であり、図５〜７から明白なように、その上記天板（２）と同じ広い一定幅（Ｘ１）の下部基端がその天板（２）の上端部へ、複数の固定ビス（１６）を介して表側からの部分的な積み重ね状態に取り付けられている。その両サイドスペーサー（１５ａ）（１５ｂ）の下部基端が上記セパレートローラー（１１）と相俟って、メダル送出通路（Ｐ１）の入口を形作るようになっている。
【００４０】
つまり、上記メダル送出口（Ｏ）はメダル送出通路（Ｐ１）の入口をなし、そのメダル送出通路（Ｐ１）の開口幅（Ｗ）が使用される最大メダルの直径とほぼ同じ対応寸法（図例では約２６．５mm）又はこれよりも若干広大な寸法として、予じめ設定されておれば良い。
【００４１】
（１７）（１８）は両サイドスペーサー（１５ａ）（１５ｂ）における広い一定幅（Ｘ１）の下部基端に加工された後述するセンサー取付マストの逃し入れ孔とメダル送出羽根車の逃し入れ凹欠であり、図６のように左右１組として並列している。
【００４２】
その場合、左右何れか一方（図例では左側）のサイドスペーサー（１５ａ）におけるメダル送出通路（Ｐ１）を形作る開口縁部は、メダル（Ｃ）の円周面と接する直線形態にあり、残る他方（図例では右側）のサイドスペーサー（１５ｂ）におけるメダル送出通路（Ｐ１）を形作る開口縁部は、上記メダル送出羽根車用逃し入れ凹欠（１８）として、そのメダル送出通路（Ｐ１）から遠ざかる円弧形に切り欠かれている。
【００４３】
又、（１９）は上記メダル送出通路（Ｐ１）の背後（底面）を被覆すべく、その両サイドスペーサー（１５ａ）（１５ｂ）へ複数の固定ビス（２０）によって取り付けられた細長いバックプレートであり、上記サイドスペーサー（１５ａ）（１５ｂ）が据付け台（１）の天板（２）へ取り付け固定された時、そのバックプレート（１９）の下部基端は図４のように上記天板（２）の上端部へ突き合わされて、天板（２）とのフラットな面一状態に保たれる。
【００４４】
そして、上記メダル送出通路（Ｐ１）を形作る両サイドスペーサー（１５ａ）（１５ｂ）とそのバックプレート（１９）が上記据付け台（１）の天板（２）から上方へ延長状態に張り出す比較的狭い一定幅（Ｘ２）の先端部は、図１、４のように横方向から見た場合、一定の角度（β）（例えば約１３０度）だけ滑らかな円弧状に弯曲しており、そのメダル送出通路（Ｐ１）がほぼ真上を指向する状態にある。
【００４５】
（２１）（２２）は同じくメダル送出通路（Ｐ１）の前面（正面）を被覆すべく、その両サイドスペーサー（１５ａ）（１５ｂ）の広幅な下部基端へ表側から別個な複数の固定ビス（２３）によって一緒に取り付けられた複数（図例では合計３枚）のフラットなフロントプレートであり、これらには図６から明白であるように、両サイドスペーサー（１５ａ）（１５ｂ）の上記センサー取付マスト用逃し入れ孔（１７）と連通するセンサー取付マスト用逃し入れ孔（２４）並びに上記メダル送出羽根車用逃し入れ凹欠（１８）と対応位置するメダル送出羽根車用スライドガイド長孔（２５）が、その複数間での合致連通する大きさ・輪郭形状に切り抜かれている。
【００４６】
その場合、フロントプレート（２１）（２２）のメダル送出羽根車用スライドガイド長孔（２５）は左右方向（メダル送出通路を横断する方向）に沿って延在するほぼ楕円形の輪郭形状をなすが、そのメダル送出通路（Ｐ１）へ接近する一端側（内側）の開口縁部は後述するメダル送出羽根車の初期設定用位置決めストッパー（２５ｓ）として、図５、６のような直線形態に切り欠かれている。
【００４７】
しかも、その複数の積み重ね状態にあるフロントプレート（２１）（２２）のうち、最下段位置にある１枚のフロントプレート（２１）は極めて薄肉（例えば約０．２〜０．５mmの厚み）な板バネ材から成り、これが上記メダル送出通路（Ｐ１）の内部へ臨む中央部（メダル送出通路の長手中心線上）には、メダル（Ｃ）を弾力的に押える上下一対のメダル逆流防止片（２６）（２７）が区成されている。（２８）（２９）はその区成するための割り溝である。
【００４８】
図示の残る上段位置と中段位置にある２枚のフロントプレート（２２）は、最下段の上記フロントプレート（２１）よりも厚肉（例えば約０．８〜１．０mmの厚み）な互いに同じ板バネ材から成り、これらの中央部（やはりメダル送出通路の長手中心線上）には上記メダル逆流防止片（２６）（２７）を逃し入れる凹欠（３０）（３１）の上下一対づつが付与されている。
【００４９】
（３２）は上記メダル送出通路（Ｐ１）における一定角度（β）の円弧弯曲部を表側から被覆すべく、その両サイドスペーサー（１５ａ）（１５ｂ）へ左右一対のネジ締結具（固定ビスと蝶ナット）（３３）によって取り付けられた円弧状のコーナーフロントプレートであり、これも薄肉（例えば約０．２〜０．５mmの厚み）な板バネ材から成る。
【００５０】
そのコーナーフロントプレート（３２）は図２、５、７、８から明白なように、上記両サイドスペーサー（１５ａ）（１５ｂ）における先端部（上端部）と同じ一定幅（Ｘ２）のほぼ長方形をなしているが、その上下方向から互いに等しい深さだけ切り込まれた左右一対づつの割り溝（３４）を介して、上記メダル送出通路（Ｐ１）の内部（メダル送出通路の長手中心線上）に臨む上下一対のセンター押圧片（３５）と、その左右両隣り位置に上下一対づつのサイド取付片（３６）とが並ぶ合計３列に区分されており、その両サイド取付片（３６）を中間部においてメダル送出通路（Ｐ１）の両サイドスペーサー（１５ａ）（１５ｂ）とバックプレート（１９）へ、上記ネジ締結具（３３）によって表側から強制的な弯曲状態に取り付け固定した時、センター押圧片（３５）の上下両端部がメダル逆流防止片（３７）として、メダル（Ｃ）を表側から弾力的に押え付けるようになっている。
【００５１】
又、（Ｐ２）は上記メダル送出通路（Ｐ１）の上端部へ別個な接続金具（３８）を介して、図１のような直接の突き合わせ状態に連通接続されたメダル送出延長通路であり、そのフロントプレート（３９）とバックプレート（４０）並びにその相互間へ縁取り状態に介在する左右一対のサイドスペーサー（中板）（４１ａ）（４１ｂ）とから、複数の固定ビス（４２）によって組み立てられた区画内部が、上記据付け台（１）側のメダル送出通路（Ｐ１）と同じ開口幅（Ｗ）として対応合致する。
【００５２】
その場合、上記メダル送出通路（Ｐ１）とそのメダル送出延長通路（Ｐ２）の開口幅（Ｗ）は使用される最大メダルの直径とほぼ同じ寸法（図例では約２６．５mm）以上として、その内部をこれより小サイズのメダル（Ｃ）が押し進め送出されることもある関係上、特にそのメダル（Ｃ）を真上方向へ案内する上記メダル送出延長通路（Ｐ２）の左右両サイドスペーサー（中板）（４１ａ）（４１ｂ）に対して、メダル（Ｃ）同士のジグザグ状（蛇行状）に突っ張り合う強い摩擦力が作用しやすいので、その摩擦抵抗を少なく抑制すべく、高強度な合成樹脂板から成る両サイドスペーサー（中板）（４１ａ）（４１ｂ）を採用することが好ましい。
【００５３】
（４３）はこのようなメダル（Ｃ）を真上方向へ押し進め案内し得るメダル送出延長通路（Ｐ２）の下端部（入口）付近へ、左右一対の固定ビス（図示省略）によって取り付けられたメダル逆流防止器であり、メダル送出延長通路（Ｐ２）を上記据付け台（１）側のメダル送出通路（Ｐ１）から取りはずし分離したメンテナンス作業時に、そのメダル送出延長通路（Ｐ２）からメダル（Ｃ）が抜け落ちてしまうことを予防する。
【００５４】
更に、（Ｐ３）は上記メダル送出延長通路（Ｐ２）の上端部へ別個な接続金具（４４）を介して、図１や図１１のような直接の突き合わせ状態に連通接続されたメダル送出変向通路であり、正面視のほぼ倒立Ｊ字形をなすことによって、メダル（Ｃ）をメダル送出延長通路（Ｐ２）の上端部からＵターンする如く、自然落下させるようになっている。
【００５５】
茲に、メダル送出変向通路（Ｐ３）も上記据付け台（１）側のメダル送出通路（Ｐ１）やそのメダル送出延長通路（Ｐ２）に準じて、図９〜１１のようなフロントプレート（４５）とバックプレート（４６）並びにその相互間へ縁取り状態に介在する複数のサイドスペーサー（中板）（４７ａ）（４７ｂ）とから、複数の固定ビス（４８）によって組み立てられている。
【００５６】
しかも、上記メダル送出変向通路（Ｐ３）の内部にはその最も高い位置（メダル変向点）から自然落下するメダル（Ｃ）を一旦受け止めた後、そのメダル（Ｃ）を電気的な指令に従って飛ばし出す駆動回転羽根（４９）と、その一旦受け止められたメダル（Ｃ）の有無を検知する第１メダル検知センサー（透過型又は反射型のフォトセンサー）（５０）と、上記駆動回転羽根（４９）によってメダル送出変向通路（Ｐ３）の下端部（出口）から飛ばし出されるメダル（Ｃ）の第２メダル検知センサー（同じく透過型又は反射型のフォトセンサー）（５１）とが、図１０、１１のように各々組み込み一体化されており、その全体的なユニット体をなしている。（５２）は上記回転羽根（４９）の駆動モーターである。
【００５７】
更に、（Ｕ）は上記メダル送出用回転ディスク（Ｄ）の回転によって、その円周面から外側のメダル送出口（メダル送出通路の入口）（Ｏ）へ押し進め送出されたメダル（Ｃ）を、１枚づつ検知しカウントするための送出メダル検知機構であり、図示の実施形態では１個の検知ユニットケース（５３）に組み込み一体化されたユニット体をなしている。
【００５８】
即ち、送出メダル検知機構（Ｕ）を抽出して示す図１２〜２４から明白なように、その検知ユニットケース（５３）はポリアセタール樹脂（好ましくは商品名「ジュラコン」）やポリカーボネート樹脂、ＡＢＳ樹脂、その他の高強度な合成樹脂から射出成形された上向き開放する断面Ｕ字形のほぼ直方体として、上記据付け台（１）の天板（２）とほぼ同じ一定幅（Ｘ１）だけ左右方向（横方向）へ細長く延在しており、その開口上縁部の点在分布する複数個所（図例では４個所）には、各々ネジ孔（５４）を備えた軸受ボス（５５）が設置されている。
【００５９】
（５６）は上記検知ユニットケース（５３）の底面（背後）に沿って左右方向（横方向）へスライド運動のみを行えるように支持されたほぼ長方形な金属のスライドプレートであり、その左右何れか一半側（図例では右半側）からはメダル送出羽根車用支軸（５７）がかしめ付け状態として、上向き（内向き）一体的に起立されている。（５８）はその支軸（５７）の上端部に設けられたビス受け入れ用ネジ孔である。
【００６０】
その場合、図示の実施形態では検知ユニットケース（５３）の底面（背後）を言わば部分的に切り抜いて残る複数の支持片（図示符号省略）によって、上記スライドプレート（５６）を左右方向（横方向）へスライドできるように、下方から支持しているが、そのスライドプレート（５６）と係合するスライドガイドレール（図示省略）を列設しても勿論良い。
【００６１】
（Ｒ）は上記スライドプレート（５６）から起立するメダル送出羽根車用支軸（５７）へ、上方から差し込み套嵌され、且つ固定ビス（５９）によって抜け止め状態に保たれたメダル送出羽根車であり、メダル（Ｃ）との接触により一方向（順方向／図示の時計方向）へ押し廻されて、そのメダル（Ｃ）を１枚づつ刻む如く確実に送出する作用と、その送出メダル（Ｃ）を１枚づつ正確に検知（カウント）する作用とを営なむ。
【００６２】
つまり、メダル送出羽根車（Ｒ）は図１３、１４から明白なように、ポリアセタール樹脂（好ましくは商品名「ジュラコン」）やポリカーボネート樹脂、繊維強化樹脂（ＦＲＰ）、その他の高強度な合成樹脂から射出成形された一定長さ（背丈）の軸筒（ボス）（６０）と、その中段位置から横方向へ連続一体に張り出すほぼ正多角形のメダル送出羽根板（６１）と、同じく軸筒（ボス）（６０）の下段位置からやはり横方向へ全体的な放射対称分布型として連続一体に張り出す複数のメダル検知子（センサードグ）（６２）とを備えている。
【００６３】
そして、そのメダル送出羽根車（Ｒ）のメダル送出羽根板（６１）が図７、８のように、上記据付け台（１）側のメダル送出通路（Ｐ１）へ横方向から臨み、そのメダル送出通路（Ｐ１）へ押し進められてくるメダル（Ｃ）と接触して、自づと一方向（送出方向）へ回転し乍ら、そのメダル（Ｃ）を１枚づつ刻む如く、図２５、２７の矢印（Ａ）で示す方向（上方）へ送出する一方、そのメダル送出羽根板（６１）よりも下方位置にあるメダル検知子（センサードグ）（６２）の各個が、後述の第３メダル検知センサーによって検知され、上記送出メダル（Ｃ）を１枚づつカウントするようになっている。
【００６４】
但し、メダル送出羽根車（Ｒ）のメダル送出羽根板（６１）を「ほぼ正多角形」と説明した理由は、その各辺がメダル（Ｃ）の円周面（凸曲面）と接触するメダル受け入れ用の円弧凹曲面をなしているからであり、図示実施形態のメダル送出羽根板（６１）は使用される最大メダルの円周面にフイットし得る円弧凹曲面の各辺を備えた星形（正五角形）として造形されている。
【００６５】
そのため、これより小サイズのメダル（Ｃ）も含めて、その各辺のメダル受け入れ用円弧凹曲面により各種サイズのメダル（Ｃ）を１枚づつ安定良く受け入れ保持することができ、回転駆動源を有しないメダル送出羽根車（Ｒ）のメダル送出羽根板（６１）であっても、そのメダル（Ｃ）を確実に送出作用し得るのである。
【００６６】
又、メダル送出羽根車（Ｒ）におけるメダル検知子（センサードグ）（６２）の個数は、上記メダル送出羽根板（６１）の羽根枚数（刻み等分数）と同一に設定する必要があり、そのため図示実施形態では合計５本のメダル検知子（センサードグ）（６２）を放射対称分布型に張り出し形成している。
【００６７】
上記軸筒（ボス）（６０）におけるメダル送出羽根板（６１）よりも上段位置は、送出メダル検知機構（Ｕ）を検知ユニットケース（５３）へ組み込む作業手の摘まみ用ヘッド（６３）として役立つが、そのヘッド（６３）の根元部だけは補強を兼ねた位置決め用係止フランジ（６４）として、図１２〜１６のようなメダル送出羽根板（６１）と同じ正多角形（図例では正五角形）に造形されており、その任意の１辺が上記据付け台（１）側のメダル送出通路（Ｐ１）を形作るフロントプレート（２１）（２２）におけるメダル送出羽根車用スライドガイド長孔（２５）の初期設定用位置決めストッパー（２５ｓ）へ、図２５、２６のように係止することにより、そのメダル送出羽根車（Ｒ）におけるメダル送出羽根板（６１）の任意な１辺（上記円弧凹曲面）がメダル送出装置の使用初期に、上記回転ディスク（Ｄ）からメダル（Ｃ）をそのメダル送出口（メダル送出通路の入口）（Ｏ）へ、突っ張ることなく円滑・確実に受け入れて送出できる方向性の待機状態を保てるようになっている。
【００６８】
その場合、上記メダル送出装置の使用初期における位置決め設定手段となるメダル送出羽根車（Ｒ）側の上記係止フランジ（６４）の各辺と、上記メダル送出通路（Ｐ１）のフロントプレート（２１）（２２）側に開口するメダル送出羽根車用スライドガイド長孔（２５）の位置決めストッパー（２５ｓ）とは、直線形態（フラット面）に造形されているが、その相互の係止作用によって上記メダル（Ｃ）の受け入れ（捕捉）可能な待機状態を保てるならば、その直線形態（フラット面）のみに限らず、相互の凹凸嵌合やその他の位置決め設定手段を採用しても良い。
【００６９】
更に、同じく上記軸筒（ボス）（６０）におけるメダル検知子（センサードグ）（６２）よりも下端部の円周面には、図１３、１４のような多数の凹凸条（歯列）（６５）がその長手方向（上下方向）に沿って平行に刻設されている。（６６）はその凹凸条（６５）へ差し込み係止されることにより、メダル送出羽根車（Ｒ）の逆回転を防ぐ逆止爪であって、金属の板バネ材から成り、その基端部が上記スライドプレート（５６）の一端部（右端部）から曲げ起された取付座（６７）へ、固定ビス（６８）によって取り付けられている。
【００７０】
このような凹凸条（歯列）（６５）と逆止爪（６６）とから成る所謂ラチエット機構によって、メダル送出羽根車（Ｒ）がメダル（Ｃ）を送る一方向（上方）に向かってのみ回転し、逆回転しないようにロックされているのである。
【００７１】
その結果、上記メダル送出用回転ディスク（Ｄ）がその駆動モーター（４）の過負荷などに起因して逆回転し、延いてはメダル（Ｃ）の逆流とメダル送出羽根車（Ｒ）の逆回転を阻止することができ、そのメダル（Ｃ）の誤まった検知（カウント）も予防し得るのである。
【００７２】
（６９）は上記検知ユニットケース（５３）の前面からメダル送出羽根車（Ｒ）におけるメダル検知子（センサードグ）（６２）の回転軌跡と干渉する内向きに張り出された第３メダル検知センサーであって、図１５、１６、２３から明白なように、そのメダル検知子（センサードグ）（６２）を挟む透過型フォトセンサー（フォトインタラプタ）から成り、上記前面のセンサー取付ステー（７０）へネジ締結具（固定ビスと角形の板ナット）（７１）によって取り付けられている。
【００７３】
上記送出メダル検知機構（Ｕ）の第３メダル検知センサー（６９）はメダル送出羽根車（Ｒ）のメダル検知子（センサードグ）（６２）を検知することによって、送出メダル（Ｃ）をカウントするものであり、その機能を果す限りでは、これを検知ユニットケース（５３）の前面から張り出す固定状態の上記センサー取付ステー（７０）に代えて、スライドプレート（５６）へ取り付け一体化しても良く、又反射型フォトセンサーから成る第３メダル検知センサー（６９）を採用しても良い。
【００７４】
上記スライドプレート（５６）の他半側（図例では左半側）からはバネ受け片（７２）が上向き（内向き）に切り起されている。（７３）は上記検知ユニットケース（５３）における底面（背後）の他端部（左端部）から上向き（内向き）に突出されたバネ受け片であり、そのバネ受け片（７２）（７３）同士の左右相互間には図１５、１６、２２のような引張りコイルバネ（７４）が連繋張架されており、これによって上記スライドプレート（５６）上のメダル送出羽根車（Ｒ）を常時メダル送出通路（Ｐ１）と接近する方向へ引き寄せ付勢している。
【００７５】
更に言えば、その引張りコイルバネ（７４）の引き寄せ付勢力を受けたメダル送出羽根車（Ｒ）のメダル送出羽根板（６１）は、その軸筒（ボス）（６０）の上記係止フランジ（６４）と上記メダル送出羽根車用スライドガイド長孔（２５）における位置決めストッパー（２５ｓ）との係止作用する初期位置決め設定手段によって、図２５、２６に示す如く、そのメダル送出通路（Ｐ１）における直線形態の開口縁部との向かい合う開口幅（Ｚ）を、使用される最小メダルの直径（図例では約２１mm）よりも狭く制限しており、その送出メダル（Ｃ）と必らず接触して、摩擦回転（自転）し得るようになっている。
【００７６】
つまり、メダル送出通路（Ｐ１）の開口幅（Ｗ）が使用される最大メダルの直径とほぼ同じ対応寸法（先に例示した約２６．５mm）以上である旨を既に説明したが、そのメダル送出通路（Ｐ１）における途中の開口幅（Ｚ）はメダル送出羽根車（Ｒ）のメダル送出羽根板（６１）によって、使用される最小メダルの直径（先に例示した約２１mm）よりも狭い一定の寸法（図例では約１５mm）に規制されており、そのメダル送出羽根板（６１）の回転軌跡と上記メダル送出通路（Ｐ１）における直線形態の開口縁部との向かい合う狭い開口幅（Ｚ）を、送出メダル（Ｃ）が上記引張りコイルバネ（７４）の付勢力に抗して押し広げる力がメダル送出羽根車（Ｒ）に働く摩擦力として、そのメダル送出羽根車（Ｒ）を一方向（順方向）へ言わば刻み回転させることにより、そのメダル（Ｃ）を１枚づつ確実に送出する作用と正確に検知（カウント）する作用とを営なむようになっているである。
【００７７】
但し、上記スライドプレート（５６）上のメダル送出羽根車（Ｒ）を図示実施形態のような引張りコイルバネ（７４）によって、検知ユニットケース（５３）の上記他端部（左端部）からメダル送出通路（Ｐ１）と接近する方向へ引き寄せ付勢する代りに、圧縮コイルバネ（図示省略）を採用して、同じくメダル送出羽根車（Ｒ）をその圧縮コイルバネにより、検知ユニットケース（５３）の逆な上記一端部（右端部）から常時メダル送出通路（Ｐ１）と接近する方向へ押圧付勢するように設定しても良い。
【００７８】
（７５）は上記検知ユニットケース（５３）の左右何れか他半側（図例では左半側）から上向き（内向き）一体的に起立されたセンサー取付マストであり、ここにやはりネジ締結具（固定ビスと板ナット）（７６）を介して取り付けられた第４メダル検知センサー（７７）が、上記据付け台（１）側のメダル送出通路（Ｐ１）を進行する送出メダル（Ｃ）を検知（カウント）することもできるようになっている。
【００７９】
その場合、送出メダル（Ｃ）は上記引張りコイルバネ（７４）の弾圧付勢力を受けているメダル送出羽根車（Ｒ）のメダル送出羽根板（６１）によって、上記メダル送出通路（Ｐ１）の直線形態をなす開口縁部へ、必らず接触する状態に押し付けられているため、その送出メダル（Ｃ）同士の前後相互間隙（メダル送出通路の開口縁部と、隣り合うメダルの円周面同士によって区画されるデルタ空間）を透過するフォトセンサーから成る第４メダル検知センサー（７７）によって、その送出メダル（Ｃ）を確実に検知（カウント）することができるのであり、その結果例えば上記第３送出メダル検知センサー（６９）と第４メダル検知センサー（７７）との両者からメダル検知信号が出力された時に、初めて送出メダル（Ｃ）の１個としてカウントすることも考えられ、不正行為の防止に役立つ。
【００８０】
第３、４送出メダル検知センサー（６９）（７７）を互いに同じフォトインタラプタとし、そのセンサー取付ステー（７０）とセンサー取付マスト（７５）も互いに同じ形態として、両メダル検知センサー（６９）（７７）を互換的に取り付け使用することができる（この点、図例では両メダル検知センサーが互いに上下逆向きとして取り付けられている）が、上記センサー取付マスト（７５）に取り付けられる第４送出メダル検知センサー（７７）は第３送出メダル検知センサー（６９）の言わば補助として、その設置を省略してもさしつかえない。その場合、上記検知ユニットケース（５３）のセンサー取付マスト（７５）と上記フロントプレート（２１）（２２）のセンサー取付マスト用逃し入れ孔（２４）を設ける必要がないことは、言うまでもない。
【００８１】
上記構成部材からユニット化された送出メダル検知機構（Ｕ）の検知ユニットケース（５３）は、図５〜８のように据付け台（１）の天板（２）へ斜め後上方から、その検知ユニットケース（５３）におけるメダル送出羽根車（Ｒ）の軸筒（ボス）（６０）と第４メダル検知センサー（７７）の取付マスト（７５）とが、天板（２）の対応位置する両ケース受け止め切欠（１４ａ）（１４ｂ）へ落し入れる如く、抜き差し自在に差し込み係止される。
【００８２】
その送出メダル検知機構（Ｕ）の検知ユニットケース（５３）は上記据付け台（１）の天板（２）に対する所謂カセット又はカートリッジとして、その据付け台（１）の天板（２）から斜め後上方へ抜き出すことにより、メダル送出装置の外部空間において、送出メダル検知機構（Ｕ）の保守・点検作業やその構成部材の交換などを便利良く行うこともできるようになっているのである。
【００８３】
そして、サイドスペーサー（１５ａ）（１５ｂ）やフロントプレート（２１）（２２）、バックプレート（１９）、コーナーフロントプレート（３２）の取り付け固定により予じめ組み立てられたメダル送出通路（Ｐ１）が、その後上記天板（２）の表側から据付け台（１）へ、複数の固定ビス（１６）（２３）によって取り付けられるのであり、そうすれば送出メダル検知機構（Ｕ）におけるメダル送出羽根車（Ｒ）のヘッド（６３）とセンサー取付マスト（７５）が、メダル送出通路（Ｐ１）のフロントプレート（２１）（２２）に切り欠かれているメダル送出羽根車用スライドガイド長孔（２５）とセンサー取付マスト用逃し入れ孔（２４）を各々貫通して、表側へ起立することになる結果、その検知ユニットケース（５３）が据付け台（１）の天板（２）から抜け出すおそれはなく、天板（２）の裏面（背後）に付属する状態として、その表側から天板（２）を貫通して、上記検知ユニットケース（５３）の軸受ボス（５５）へねじ込まれる複数（図例では合計４本）の固定ビス（７８）によって取り付けられている。
【００８４】
上記エレベーター式（リフト式）のメダル送出装置ではメダル送出変向通路（Ｐ３）内へ臨む駆動回転羽根（４９）によって受け止められたメダル（Ｃ）の有無を、その第１メダル検知センサー（５０）が検知した出力信号に基いて、メダル送出用回転ディスク（Ｄ）の駆動モーター（４）を制御する。上記メダル送出変向通路（Ｐ３）内にメダル（Ｃ）が有る時には、メダル送出用回転ディスク（Ｄ）の駆動を一旦停止し、そのメダル（Ｃ）が無ければ、同じく回転ディスク（Ｄ）を駆動して、メダル（Ｃ）を回転ディスク（Ｄ）の円周面から外側のメダル送出口（メダル送出通路の入口）（Ｏ）へ押し進め送出させるようになっている。
【００８５】
他方、メダル送出変向通路（Ｐ３）内の駆動回転羽根（４９）によって、その下端部（出口）から飛ばし出されたメダル（Ｃ）を、第２メダル検知センサー（５１）が検知した出力信号に基いて、その回転羽根（４９）の駆動モーター（５２）を制御する。そのメダル（Ｃ）をメダル送出変向通路（Ｐ３）から飛ばし出す毎に、回転羽根（４９）の駆動を一旦停止して、引き続き自然落下するメダル（Ｃ）を受け止めるべく待機するようになっている。
【００８６】
更に、据付け台（１）側のメダル送出用回転ディスク（Ｄ）の駆動によってメダル送出口（メダル送出通路の入口）（Ｏ）へ押し進め送出される最先（第１番目）のメダル（Ｃ）を、その第３メダル検知センサー（６９）が検知した出力信号に基いて、上記メダル送出変向通路（Ｐ３）内のメダル受け止め用駆動回転羽根（４９）を駆動し始めるようになっている。
【００８７】
尚、上記据付け台（１）側のメダル送出通路（Ｐ１）に臨む第３メダル検知センサー（６９）やメダル送出変向通路（Ｐ３）内にあるメダル受け止め用回転羽根（４９）の駆動モーター（５２）並びに上下一対の第１、２メダル検知センサー（５０）（５１）も、上記メダル送出用回転ディスク（Ｄ）の駆動モーター（４）と同じく、ホッパー制御基板（５）を介して遊技（ゲーム）機などの主制御基板（図示省略）へ電気的に接続されている。
【００８８】
上記構成を備えたエレベーター式（リフト式）のメダル送出装置において、メダル送出用回転ディスク（Ｄ）が駆動されると、ホッパータンク（３）内のメダル（Ｃ）はこれの円弧弯曲羽根（１０）により、その円周面の外側位置にあるメダル送出口（メダル送出通路の入口）（Ｏ）を経て、据付け台（１）側のメダル送出通路（Ｐ１）とそのメダル送出延長通路（Ｐ２）を上方へ強制的に押し進め送出されることとなり、最上端部（頂点位置）まで到達するや否や、引き続きメダル送出変向通路（Ｐ３）内へ自然落下し、その内部にある駆動回転羽根（４９）により一旦受け止められて、その後下端部（出口）から飛ばし出される。
【００８９】
そして、上記メダル送出用回転ディスク（Ｄ）の駆動中、メダル送出通路（Ｐ１）に臨むメダル送出羽根車（Ｒ）のメダル送出羽根板（６１）が、その回転ディスク（Ｄ）から押し進められてくるメダル（Ｃ）を円滑・確実に受け入れて、これと必らず接触して摩擦回転（自転）することにより、図２５、２７の矢印（Ａ）で示す一方向（送出方向／上方）へメダル（Ｃ）を送出すると同時に、そのメダル送出羽根板（６１）との一体的に回転するメダル検知子（センサードク）（６２）が、第３メダル検知センサー（６９）によって正確に検知（カウント）されるのである。
【００９０】
しかも、上記メダル送出羽根車（Ｒ）における軸筒（ボス）（６０）の下端部には、多数の凹凸条（６５）が細かく刻設されており、その凹凸条（歯列）（６５）とこれに差し込み係止された逆止爪（６６）とから成るラチエット機構が設けられているため、万一にもメダル送出羽根車（Ｒ）が逆回転して、メダル（Ｃ）がその送出通路（Ｐ１）を下方へ逆流するおそれはない。このことも、上記第３メダル検知センサー（５９）によるメダル（Ｃ）の正確な検知（カウント）に役立つのである。
【００９１】
但し、メダル送出羽根車（Ｒ）の逆回転（送出メダルの逆流）を防止できる機構であるならば、上記ラチエット機構に代えて、図２９〜３６の変形実施形態に示すようなワンウエイクラッチ機構やその他の機構を採用しても良い。図２９〜３６の符号（８０）はベアリング型のワンウエイクラッチであって、その軸穴（８１）の内周面に全体的な放射対称分布型として切り欠かれた複数の楔溝（８２）と、その内部に挿入セットされたローラー（８３）とを備えており、上記メダル送出羽根車（Ｒ）の軸筒（ボス）（６０）内へ凹凸嵌合する状態に圧入一体化されている。
【００９２】
そして、そのメダル送出羽根車用支軸（５７）のネジ孔（５８）へ上方からねじ込まれる固定ビス（５９）によって、上記ワンウエイクラッチ（８０）が抜け止め状態に保たれているのである。
【００９３】
尚、図１２〜２４の実施形態と、これにほぼ対応する図２９〜３６の変形実施形態に示したメダル送出羽根車（Ｒ）は高強度な合成樹脂からの一体成形品として、その軸筒（ボス）（６０）からメダル送出羽根板（６１）とメダル検知子（センサードグ）（６２）とを連続一体に張り出しているが、メダル送出羽根板（６１）とメダル検知子（センサードグ）（６２）とを別個に作成して、そのメダル送出羽根板（６１）における軸筒（ボス）の下端面とメダル検知子（センサードグ）（６２）における軸筒（ボス）の上端面とを凹凸嵌合させたり、或いはその一方における軸筒（ボス）の外周面と他方における軸筒（ボス）の内周面とを凹凸嵌合（例えばスプライン嵌合）させたりして、互いに一体回転し得るように組み立てても良い。
【００９４】
上記第３メダル検知センサー（６９）が送出メダル（Ｃ）を検知した出力信号に基いて、上記メダル送出変向通路（Ｐ３）内にあるメダル受け止め用回転羽根（４９）が駆動され、その一旦受け止められたメダル（Ｃ）は駆動回転羽根（４９）により、メダル送出変向通路（Ｐ３）の下端部から飛ばし出されることとなる。その飛ばし出されるメダル（Ｃ）は第２メダル検知センサー（５１）によって検知（カウント）され、そのセンサー（５１）からの検知出力信号に基いて、上記回転羽根（４９）の駆動が停止されるのである。
【００９５】
又、上記駆動回転羽根（４９）よりも上側位置にある第１メダル検知センサー（５０）が、その回転羽根（４９）によって一旦受け止められた状態にあるメダル（Ｃ）を検知した時には、そのメダル（Ｃ）の無くなったことを検知するまで、上記メダル送出用回転ディスク（Ｄ）の駆動が停止されるようになっている。
【００９６】
上記送出メダル検知機構（Ｕ）を形作っているメダル送出羽根車（Ｒ）のメダル送出羽根板（６１）は、予じめ図２５、２６のように、メダル送出用回転ディスク（Ｄ）の円周面から外側へ押し進められてくるメダル（Ｃ）のメダル送出通路（Ｐ１）に臨んでおり、しかもその軸筒（ボス）（６０）を受け持つスライドプレート（５６）が、引張りコイルバネ（７４）によってメダル送出通路（Ｐ１）を使用メダル（Ｃ）の最小サイズ（直径）よりも狭い一定の開口幅（Ｚ）（先に例示した約１５mm）に保つ方向へ弾圧付勢されているため、そのメダル（Ｃ）が例えば約２１mmの最小サイズであっても、或いは約２６．５mmの最大サイズであっても、そのメダル送出通路（Ｐ１）の開口幅を調整する必要なく、そのままで図２７、２８から明白なように、送出メダル（Ｃ）を１枚づつ洩れなく検知（カウント）することができることになる。
【００９７】
更に言えば、上記メダル送出通路（Ｐ１）は使用メダル（Ｃ）の最大サイズ（直径）とほぼ同じ対応寸法以上の開口幅（Ｗ）を備えているが、そのメダル送出通路（Ｐ１）における途中の一部は上記引張りコイルバネ（７４）の付勢力を受けたメダル送出羽根車（Ｒ）のメダル送出通路（Ｐ１）へ臨むメダル送出羽根板（６１）により、使用メダル（Ｃ）の最小サイズ（直径）よりも狭い開口幅（Ｚ）として予じめ一定不変に規定されているため、その使用されるメダル（Ｃ）が最大サイズであれば勿論のこと、その使用メダル（Ｃ）が最小サイズであっても、上記狭い開口幅（Ｚ）を引張りコイルバネ（７４）の弾圧付勢力に抗して押し広げることができ、その押し広げる力を摩擦力として、上記メダル送出羽根車（Ｒ）を自づと一方向（上方）へ回転させ得るのであり、そのメダル送出羽根板（６１）によるメダル（Ｃ）の送出作用とメダル検知子（センサードグ）（６２）による送出メダル（Ｃ）の検知（カウント）作用とを営なむ。
【００９８】
その際、使用されるメダル（Ｃ）のサイズ（直径）が大きくなればなる程、そのメダル送出羽根車（Ｒ）に働く摩擦力は強くなるため、その大小サイズに応じた強さの摩擦力によって、上記メダル送出羽根車（Ｒ）を常時しっかりと安定良く回転させることができることになり、そのメダル（Ｃ）における１枚づつの送出作用や検知（カウント）作用にミスを生じるおそれはない。メダル送出羽根車（Ｒ）がメダル（Ｃ）を送出する一方向（順方向）へ空廻りするおそれも勿論ない。
【００９９】
尚、図１〜３６の第１実施形態に基いて送出メダル検知機構（Ｕ）のメダル送出羽根車（Ｒ）を説示したが、これは言わば機能的な刻み（送り）回転体として、刻み回転動作により１枚づつのメダル送り作用とメダル検知（カウント）作用を営なめる限り、その名称がメダル送出羽根車である必要はなく、例えばこれに代るメダル送出爪車などと名付けても同じである。その材質も上記の高強度な合成樹脂のみならず、金属から作成することができる。
【０１００】
上記エレベーター式（リフト式）のメダル送出装置ではメダル送出用回転ディスク（Ｄ）からメダル送出延長通路（Ｐ２）の最上端部（頂点位置）まで、送出メダル（Ｃ）が数珠繋ぎに積み重なる状態として待機する関係上、そのメダル（Ｃ）のサイズが大小変化すると、メダル（Ｃ）同士の隣り合う境界部（切れ目）も変ることになるため、その検知（カウント）する位置の精密な調整が不可欠である。
【０１０１】
この点、上記第１実施形態の構成を採用するならば、送出メダル（Ｃ）を図１１のように最上端部（頂点位置）からメダル送出変向通路（Ｐ３）へ、言わばＵターンする如く自然落下させるようになっているため、その落下する先行メダルは未だ最上端部（頂点位置）に残存している後行メダルから、自づと分離されることになり、その分離されてから回転羽根（４９）により一旦受け止められて、これを検知（カウント）するようになっている結果、メダル（Ｃ）のサイズが大小変化しても、その１枚づつを常時正確に検知（カウント）することができる。その自然落下の分離によって、上記メダル送出用回転ディスク（Ｄ）のメダル押し進め強制力並びに数珠繋ぎ状態が一旦解除され、メダル（Ｃ）同士の隣り合う境界部（切れ目）が無くなるからである。
【０１０２】
つまり、図示実施形態のエレベーター式（リフト式）メダル送出装置の場合、メダル送出通路（Ｐ１）とそのメダル送出延長通路（Ｐ２）並びにメダル送出変向通路（Ｐ３）の開口幅（Ｗ）を、使用するメダルの最大サイズとほぼ同じ対応寸法（図例では約２６．５mm）以上に設定しておくだけで、その大メダルはもとより、小メダルであっても、更には大小メダルが混在していても、すべて支障なく正確に検知（カウント）できるのであり、そのメダルの検知位置や送出位置を調整したり、部品を交換したりする必要は一切ない。
【０１０３】
次に、図３７〜４１は本発明の第２実施形態として、やはり約２１mmの最小サイズ（直径）から約２６．５mmの最大サイズ（直径）までのメダル（Ｃ）につき、無調整で使える仕様の非エレベーター式（払い出し式）メダル送出装置を示しており、これが上記第１実施形態のエレベーター式（リフト式）メダル送出装置と異なる構成について要説すると、下記のとおりである。
【０１０４】
即ち、非エレベーター式メダル送出装置における据付け台（１）の天板（２）は水平の設置状態にある。但し、そのメダル送出装置の仕様如何では上記第１実施形態と同じ後上がりの傾斜設置状態になることもあり得る。
【０１０５】
メダル送出用回転ディスク（Ｄ）における円周面の外側位置に臨むセパレートローラー（１１）と、送出メダル検知機構（Ｕ）を形作るメダル送出羽根車（Ｒ）のメダル送出羽根板（６１）との向かい合う相互間が、メダル送出通路（Ｐ１）の入口（メダル送出口）（Ｏ）として画定されており、ここからメダル（Ｃ）がメダル送出通路（Ｐ１）を経て、図４１の矢印（Ａ）で示す一方向へ１枚づつ順次送出されるようになっている。
【０１０６】
その場合、メダル送出口（Ｏ）を入口とするメダル送出通路（Ｐ１）の開口幅（Ｗ）は、メダル送出羽根車（Ｒ）におけるメダル送出羽根板（６１）の下流位置と、片サイドスペーサー（メダル案内プレート）（１５）の開口縁部とから、使用されるメダル（Ｃ）の最大サイズ（直径）（先に例示した約２６．５mm）よりも若干広大な寸法の空間として開放されており、据付け台（１）の天板（２）へ複数の固定ビス（２３）を介して取り付けられたフロントプレート（２２）により、表側（正面）から被覆されている。
【０１０７】
そして、上記第１実施形態ではメダル送出通路（Ｐ１）における途中の一部が、引張りコイルバネ（７４）の付勢力を受けたメダル送出羽根車（Ｒ）のメダル送出羽根板（６１）により、使用メダル（Ｃ）の最小サイズよりも狭い一定の開口幅（Ｚ）（先に例示した約１５mm）として制限されているが、茲に第２実施形態ではメダル送出通路（Ｐ１）の入口（メダル送出口）（Ｏ）の開口幅（Ｚ）を、同じくメダル送出羽根車（Ｒ）のメダル送出羽根板（６１）によって、使用メダル（Ｃ）の最小サイズ（先に例示した約２１mm）よりも狭い一定の開口幅（Ｚ）（先に例示した約１５mm）に規定している。
【０１０８】
第２実施形態の構成では、上記第１実施形態のような据付け台（１）側のメダル送出通路（Ｐ１）のほかに、そのメダル（Ｃ）を上方へ案内するメダル送出延長通路（Ｐ２）と、メダル送出変向通路（Ｐ３）を具備していない。従って、上記第１実施形態のメダル逆流防止器（４３）やメダル受け止め用回転羽根（４９）、その駆動モーター（５２）、第１、２メダル検知センサー（５０）（５１）なども具備していない。
【０１０９】
又、送出メダル検知機構（Ｕ）における第４メダル検知センサー（７７）とそのセンサー取付マスト（７５）の設置は省略されており、そのため上記メダル送出通路（Ｐ１）のフロントプレート（２２）にはセンサー取付マスト（７５）の逃し入れ孔（２４）が無く、メダル送出羽根車（Ｒ）のスライドガイド長孔（２５）だけが切り抜かれているにとどまる。
【０１１０】
そのスライドガイド長孔（２５）におけるメダル送出口（メダル送出通路の入口）（Ｏ）へ接近する一端側（内側）の開口縁部がメダル送出羽根車（Ｒ）の初期設定用位置決めストッパー（２５ｓ）として、例えば図示のような直線形態に切り欠かれていることは、上記第１実施形態と実質的に同一である。
【０１１１】
図３７〜４１の第２実施形態におけるその他の構成は上記第１実施形態と実質的に同一であるため、その図３７〜４１に図１〜３６との同一符号を記入するにとどめて、その詳細な説明を省略するが、上記第２実施形態の非エレベーター式（払い出し式）メダル送出装置にあっても、メダル送出用回転ディスク（Ｄ）の回転によって押し進め送出されてくるメダル（Ｃ）が、メダル送出口（メダル送出通路の入口）（Ｏ）に臨むメダル送出羽根車（Ｒ）のメダル送出羽根板（６１）へ、円滑・確実に受け入れられて、これと接触するメダル送出羽根板（６１）の摩擦回転（自転）により、図４１の矢印（Ａ）で示す方向（送出方向）へ送出されることとなる。
【０１１２】
しかも、上記送出メダル検知機構（Ｕ）の検知ユニットケース（５３）内では、その上記メダル送出羽根板（６１）と一体的に回転するメダル検知子（センサードグ）（６２）が、第３メダル検知センサー（６９）によって自づと確実に検知され、送出メダル（Ｃ）のカウントが正しく行われるのである。
【０１１３】
更に、上記メダル送出羽根車（Ｒ）は逆回転しないようになっており、それにもまして引張りコイルバネ（７４）の弾圧付勢力を受けたメダル送出羽根板（６１）が、メダル送出口（メダル送出通路の入口）（Ｏ）の開口幅（Ｚ）を最小メダルの直径よりも狭く規制して、送出メダル（Ｃ）と常時接触する方向に引き寄せられているため、使用されるメダルのサイズ（直径）が大小変化するも、上記第１実施形態と同じく常時正確に検知（カウント）し得るのであり、部品の交換や取付位置の微調整などを一切必要としない。
【０１１４】
尚、その引張りコイルバネ（７４）に代る圧縮コイルバネを用いて、メダル送出羽根車（Ｒ）をメダル送出通路（Ｐ１）と接近する方向へ押圧付勢しても良いことは、上記第１実施形態と同様である。
【符号の説明】
【０１１５】
（１）・据付け台
（２）・天板
（３）・ホッパータンク
（４）（５２）・駆動モーター
（５）・ホッパー制御基板
（６）・モーター出力軸
（７）・ホッパータンク用係止ピン
（８）（１６）（２０）（２３）（４２）（４８）（５９）（６８）（７８）・固定ビス
（９）・メダル受け入れ穴
（１０）・円弧弯曲羽根
（１１）・セパレートローラー
（１２）・ローラー支軸
（１３）・メダル変向ガイドピン
（１４ａ）（１４ｂ）・ケース受け止め切欠
（１５）（１５ａ）（１５ｂ）（４１ａ）（４１ｂ）（４７ａ）（４７ｂ）・サイドスペーサー
（１７）・センサーホルダー用逃し入れ孔
（１８）・羽根車用逃し入れ凹欠
（１９）（４０）（４６）・バックプレート
（２１）（２２）（３９）（４５）・フロントプレート
（２４）・センサー用逃し入れ孔
（２５）・羽根車スライドガイド長孔
（２５ｓ）・位置決めストッパー
（２６）（２７）・メダル逆流防止片
（２８）（２９）（３４）・割り溝
（３０）（３１）・逆流防止片用逃し入れ凹欠
（３２）・コーナーフロントプレート
（３３）（７１）（７６）・ネジ締結具
（３５）・センター押圧片
（３６）・サイド取付片
（３７）・メダル逆流防止片
（３８）（４４）・接続金具
（４３）・メダル逆流防止器
（４９）・駆動回転羽根
（５０）（５１）（６９）（７７）・メダル検知センサー
（５３）・検知ユニットケース
（５４）（５８）・ネジ孔
（５５）・軸受ボス
（５６）・スライドプレート
（５７）・支軸
（６０）・軸筒（ボス）
（６１）・羽根板
（６２）・メダル検知子（センサードグ）
（６３）・ヘッド
（６４）・係止フランジ
（６５）・凹凸条・
（６６）・逆止爪
（６７）・取付座
（７０）・センサー取付ステー
（７１）（７２）・バネ受け片
（７４）・引張りコイルバネ
（７５）・センサー取付マスト
（８０）・ワンウエイクラッチ
（８１）・軸穴
（８２）・楔溝
（８３）・ローラー
（Ｃ）・メダル
（Ｄ）・メダル送出用回転ディスク
（Ｏ）・メダル送出口
（Ｒ）・メダル送出羽根車
（Ｕ）・送出メダル検知機構
（Ｐ１）・メダル送出通路
（Ｐ２）・メダル送出延長通路
（Ｐ３）・メダル送出変向通路
（Ｗ）（Ｚ）・開口幅